【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
貨幣を受け付けて識別する貨幣識別手段と、
受け付けた貨幣の額に応じて有価価値を付与する有価価値付与手段と、
移動可能な外部排出式記憶媒体を受け入れて感知する記憶媒体受入手段と、
通常は記憶媒体処理装置に関連づけて設置され、有価価値を特定可能な有価価値特定情報を読み取られる内蔵式記憶媒体と、
記憶媒体受入手段が外部排出式記憶媒体の受入を感知しない場合には、外部排出式記憶媒体を受入可能な待機状態とし、有価価値を特定可能な有価価値特定情報を内蔵式記憶媒体に対し読み取り可能な受入待機手段と、
記憶媒体受入手段が外部排出式記憶媒体の受入を感知する場合には、有価価値を特定可能な有価価値特定情報を外部排出式記憶媒体から読み取る外部排出式記憶媒体処理手段と、
操作されると、記憶媒体受入手段が外部排出式記憶媒体の受入を感知する場合には、外部排出式記憶媒体を遊技者が受け取り可能に外部に排出して次の外部排出式記憶媒体を受入可能な待機状態とすることを含んでなり、
記憶媒体受入手段が外部排出式記憶媒体の受入を感知しない場合には、外部排出式記憶媒体の発行の促しを行う発行操作手段と、
操作されると、内蔵式記憶媒体または外部排出式記憶媒体に記憶された有価価値特定情報によって特定される有価価値の範囲内で遊技媒体を遊技者に貸し出す貸出手段と、
とからなることを特徴とする記憶媒体処理装置。
【請求項２】
前記装置はキャンセル操作手段を備え、
キャンセル操作手段は、
操作されると、記憶媒体受入手段が外部排出式記憶媒体の受入を感知しない場合には、外部排出式記憶媒体の発行の促しをキャンセルさせることを特徴とする請求項１に記載の記憶媒体処理装置。
【請求項３】
外部排出式記憶媒体の挿入を促す挿入促し表示手段と、
外部排出式記憶媒体に記憶される有価価値、または、内蔵式記憶媒体に記憶される有価価値を表示する有価価値表示手段と、
を有し、
発行操作手段は、
操作されると、記憶媒体受入手段が外部排出式記憶媒体の受入を感知しない場合は外部排出式記憶媒体の挿入促し表示を表示させ、
キャンセル操作手段は、
操作されると、記憶媒体受入手段が外部排出式記憶媒体の受入を感知しない場合は外部排出式記憶媒体の挿入促し表示をキャンセルさせるとともに、外部排出式記憶媒体に記憶される有価価値、または、内蔵式記憶媒体に記憶される有価価値を表示する有価価値表示を再度表示させることを特徴とする請求項１または請求項２に記載の記憶媒体処理装置。
【請求項４】
記憶媒体受入手段が外部排出式記憶媒体の受入を感知しない場合から待機後新たな外部排出式記憶媒体の受入を感知する場合に、カードを受け入れた旨の表示を行うことを特徴とする請求項１〜３いずれか記載の記憶媒体処理装置。
【請求項５】
記憶媒体受入手段が外部排出式記憶媒体の受入を感知しない場合から待機後新たな外部排出式記憶媒体の受入を感知する場合であって外部排出式記憶媒体の読み取り不良が発生する場合、受け入れた外部排出式記憶媒体を排出し、次の外部排出式記憶媒体を受入可能な待機状態にすることを特徴とする請求項１〜４いずれか記載の記憶媒体処理装置。
【請求項６】
待機状態においては外部排出式記憶媒体の挿入を促すための信号を外部に出力することを特徴とする請求項１〜５いずれか記載の記憶媒体処理装置。
【請求項７】
内蔵式記憶媒体が、非接触に記憶の更新可能でかつ外部に取り出し可能な固定式ＩＣタグである請求項１〜６いずれか記載の記憶媒体処理装置。
【請求項８】
内蔵式記憶媒体が、バックアップ電源付ＲＡＭであり、外部の他の装置と通信しないオフラインの場合かつ待機状態に外部排出式記憶媒体の受入を感知した場合、受け入れた外部排出式記憶媒体にバックアップ電源付ＲＡＭに記録する有価価値を特定可能な有価価値特定情報を記録可能であることを特徴とする請求項１〜７いずれか記載の記憶媒体処理装置。
【請求項９】
請求項１〜８いずれか記載の記憶媒体処理装置を有し、更に精算機および管理装置を具備し、記憶媒体処理装置と、精算機と、管理装置とがそれぞれ通信可能に接続された記憶媒体処理システムであって、
精算機が、
外部排出式記憶媒体を受け入れ、外部排出式記憶媒体から有価価値特定情報を読み取り、読み取られた有価価値特定情報によって特定される有価情報に基づいて貨幣を払い戻し、外部排出式記憶媒体の有価価値特定情報によって特定され、払い戻された貨幣に対応して有価価値を更新する精算機であり、
管理装置は、
記憶媒体処理装置にて処理される有価価値を記録し、
精算機にて読み出した外部排出式記憶媒体に記録された有価価値特定によって特定され、払い出された貨幣に対応して更新される有価価値を更新記録する管理装置である、
ことを特徴とする記憶媒体処理システム。
【請求項１０】
請求項９に記載の記憶媒体処理システムに、更に、計数機、景品払出機を具備し、計数機と、景品払出機とを含めてそれぞれ通信可能に接続された記憶媒体処理システムであって、
計数機が、
遊技媒体を受け入れて該遊技媒体の数を計数し、
計数した遊技媒体数を、景品払出機にて景品交換可能な遊技媒体貯数とし、当該遊技媒体貯数を特定可能な遊技媒体貯数特定情報として記憶媒体に記録して発券する計数機であり、
景品払出機が、
計数機で発券された記憶媒体の遊技媒体貯数特定情報を読み取り、その読み取られた遊技媒体貯数特定情報によって特定される遊技媒体貯数の範囲内で景品を払い出すか、または、払い出す景品の種別と数量を表示する景品払出機であり、
管理装置は、
計数機にて発券した記憶媒体に記録した遊技媒体貯数特定情報によって特定される遊技媒体貯数を記録し、
景品払出機にて読み出した記憶媒体に記録された遊技媒体貯数特定情報によって特定され、景品の払い出しに対応して更新される遊技媒体貯数を更新記録する、
管理装置である、
ことを特徴とする記憶媒体処理システム。
【請求項１１】
請求項１０記載の記憶媒体処理システムに、更に、記憶媒体処理装置とは別体の発券機と、再プレー受付機とを具備し、発券機と再プレー受付機とを含めてそれぞれ通信可能に接続された記憶媒体処理システムであって、
記憶媒体処理装置とは別体の発券機が、
貨幣を受け入れて識別し、
受け付けた貨幣の額に応じて有価価値を付与し、
付与された有価価値を特定可能な有価価値特定情報を、貯留された複数の外部排出式記憶媒体に書き込んで発行する発券機であり、
再プレー受付機が、
会員登録を受けた遊技者に発行された会員用外部排出式記憶媒体を受け入れ、受け入れた会員用外部排出式記憶媒体から遊技媒体貯数を特定する遊技媒体貯数特定情報を読み取り、読み取られた遊技媒体貯数特定情報により特定される遊技媒体貯数のうち所定の遊技媒体貯数を再プレー用の遊技媒体貯数に変更する再プレー受付機であり、
管理装置は、
発券機より発行された外部排出式記憶媒体に記録された有価価値特定情報によって特定され、受け入れた貨幣の金額に対応する有価価値を記録し、
再プレー受付機で受付され、遊技媒体貯数特定情報により特定される遊技媒体貯数のうち所定の遊技媒体貯数を再プレー用遊技媒体貯数として変更した再プレー用遊技媒体貯数を記録し、
記憶媒体処理装置にて読み出した会員用外部排出式記憶媒体に記録された再プレー用遊技媒体貯数特定情報によって特定され、再プレー用遊技媒体の貸出に対応して更新される再プレー用遊技媒体貯数を更新記録する、管理装置である、
ことを特徴とする記憶媒体処理システム。
【請求項１２】
貨幣を受け付けて識別する貨幣識別ステップと、
受け付けた貨幣の額に応じて有価価値を付与する有価価値付与ステップと、
外部排出式記憶媒体を受け入れて感知する記憶媒体受入ステップと、
記憶媒体受入ステップが外部排出式記憶媒体の受入を感知する場合には、有価価値を特定可能な有価価値特定情報を外部排出式記憶媒体から読み取る外部排出式記憶媒体処理ステップと、
外部排出式記憶媒体の受入が感知されない場合に、外部排出式記憶媒体を受け入れ可能な待機状態とするとともに、有価価値を特定可能な有価価値特定情報を内蔵式記憶媒体から読み取る受入待機ステップと、
操作されると、有価価値付与ステップが付与した有価価値の範囲で遊技媒体を貸し出す貸出ステップと、
操作されると、記憶媒体受入手段が外部排出式記憶媒体の受入を感知する場合には、外部排出式記憶媒体を遊技者が受け取り可能に外部に排出して次の外部排出式記憶媒体を受入可能な待機状態とし、記憶媒体受入ステップによって外部排出式記憶媒体の受入を感知しない場合に、外部排出式記憶媒体の発行の促しを行う発行操作ステップと、からなることを特徴とする記憶媒体処理方法。
【請求項１３】
前記記憶媒体処理方法において、
発行操作ステップにより外部排出式記憶媒体の挿入の促しを行う場合に、
操作されると、外部排出式記憶媒体の発行の促しをキャンセルするキャンセル操作ステップを有する請求項１２に記載の記憶媒体処理方法。
【請求項１４】
通常は、外部排出式記憶媒体に記憶される有価価値、または、内蔵式記憶媒体に記憶される有価価値を表示する有価価値表示ステップを実行し、
発行操作ステップによる外部排出式記憶媒体の挿入促しが挿入を促す旨の表示であり、操作されてキャンセル操作ステップを実行すると、再び有価価値表示ステップを実行させることを特徴とする請求項１２または請求項１３に記載の記憶媒体処理方法。
【請求項１５】
記憶媒体受入ステップが外部排出式記憶媒体の受入を感知しない場合から待機後新たな外部排出式記憶媒体の受入を感知する場合に、カードを受け入れた旨の表示を行うことを特徴とする請求項１２〜１４いずれか記載の記憶媒体処理方法。
【請求項１６】
記憶媒体受入ステップが外部排出式記憶媒体の受入を感知しない場合から待機後新たな外部排出式記憶媒体の受入を感知する場合であって外部排出式記憶媒体の読み取り不良が発生する場合、受け入れた外部排出式記憶媒体を排出し、次の外部排出式記憶媒体を受入可能な待機状態にすることを特徴とする請求項１２〜１５いずれか記載の記憶媒体処理方法。
【請求項１７】
待機状態においては外部排出式記憶媒体の挿入を促すための信号を外部に出力することを特徴とする請求項１２〜１６いずれか記載の記憶媒体処理方法。
【手続補正２】
【補正対象書類名】明細書
【補正対象項目名】全文
【補正方法】変更
【補正の内容】
【発明の詳細な説明】
【発明の名称】記憶媒体処理装置、記憶媒体処理方法および記憶媒体処理システム
【技術分野】
【０００１】
この発明は、パチンコホール、スロットマシンホール等で使用される、遊技媒体を貸し出すための有価価値を処理する遊技媒体処理装置、記憶媒体処理方法および記憶媒体処理システムに関し、特に内蔵式記憶媒体を用いて外部排出式記憶媒体がない状態からある状態へ変化させる際の記憶媒体処理に関する記憶媒体処理装置、記憶媒体処理方法および記憶媒体処理システムにかかる。
【背景技術】
【０００２】
従来の、記憶媒体処理装置、記憶媒体処理システムについては以下の技術が知られている。
【０００３】
「貨幣受付部により受け付けられた貨幣の金額に相当する遊技用価値が特定可能な情報が記録されて当該記憶媒体処理装置により遊技者に一旦発行された後遊技者の手に渡ることなく取込まれる記憶媒体であって、取込まれた後該記憶媒体の記録情報から特定される遊技用価値を使用して遊技が可能となる封入型記憶媒体を発行する封入型記憶媒体発行部とを含み、
該封入型記憶媒体発行部が前記既発行記憶媒体挿入部よりも上部に配設されており、前記封入型記憶媒体は、前記封入型記憶媒体発行部の前面よりも前方に一部が突出することにより発行されることを特徴とする、記憶媒体処理装置。」
（特許文献１  特開２００２−８５７９８）
【０００４】
他方、遊技客には、パチンコホールやスロットマシンホールに入店すると、遊技台に行く前に遊技台と離れた位置にある発券機でプリペイドカートを購入することなく、直に遊技台に行って遊技したいという要望がある。
更に、遊技客には、１万円等の高額紙幣を使用して、何度も追加入金する手間をかけることなく、大当たりとなるまで遊技し、大当たり後出玉を計数し、精算機にプリペイドカードを挿入して残金を返却したいという要望もある。
【０００５】
遊技する場合には、会員登録して会員カードを有する場合、プリペイドカードを購入して有する場合、貨幣を直接使用する場合の３通りの遊技方法がある。
会員カードを有する遊技者は、会員カードを遊技台に隣接して設置される台間機に挿入するなどして設置すれば、会員カードに度数残高を有する場合はこれら要望はかなえられる。更に、会員カードを有すれば、仮に度数残高がない場合でも、遊技台に隣接して設置される紙幣識別機に紙幣を追加入金することで、度数残高を増加させ、増加した度数残高の範囲で貸玉して遊技することが可能である。
【０００６】
しかしながら、会員カードを有することなく遊技する場合は、これら要望を満たすことは困難な場合がある。
即ち、台間機内部に、記憶媒体であるいわゆる白カード（度数残高０のカード、ブランクカード）が貯留されている場合は、台間機に紙幣を投入して遊技しても、会員カードを台間機に設置して遊技するのと同様に遊技可能である。
しかし、ホール内に設置される遊技台の設置台数を維持するスペース確保の必要上、幅が４ｃｍ等の薄形化が求められる台間機には貯留して再発行可能なブランクカードを貯留するスペースが少なく、貯留するカード数は限られている。そのため、遊技客がより良い台を選ぶのに頻繁に台移動しがちな開店直後等は、貯留されたカードがなくなる状態が発生しがちである。
【０００７】
台間機の貯留カードがない場合は、会員カードを有さない遊技者は、遊技台とは離れた場所に設置される発券機まで行き、プリペイドカードを購入して遊技するか、遊技後度数残高の返却を求めないことを前提に１０００円等の少額紙幣を投入し仮想のカードを発行して遊技を繰り返す手間を掛ける必要があった。
プリペイドカードを購入に出かけることや、台間機に繰り返し現金を投入することは、遊技が一時中断するので、稼働率向上の点からは望ましくない。
【０００８】
ＩＣカード方式の場合、台間機内部のＲＦＩＤリーダライタアンテナ部に隣接した位置に遊技者に渡されることのないＩＣカードを併設したり、遊技者に視認させるためにそのようなＩＣカードを台間機前面の透明樹脂ケースに一旦移動し、それらＩＣカードに、投入された貨幣と等価な有価価値を特定可能な有価価値特定情報を記憶させ、有価価値の範囲で対価物をであるパチンコ玉等を貸し出すことは行われていた（特許文献１  特開２００２−８５７９８  参照）。
その場合は、台間機内部に白カードが存在しなくとも、遊技者に渡されることのない記憶媒体（封入式記憶媒体）を使用して遊技することは可能である。
【０００９】
【特許文献１】特開２００２−８５７９８号公報
【発明の開示】
【発明が解決しようとする課題】
【００１０】
遊技者に渡されることのないＩＣカードを台間機に併設したり、ＩＣカードを台間機前面の透明樹脂ケースに一旦移動したりする従来例を含め、台間機に貯留された遊技者に渡すことが可能なカードのストックがなくなった場合、それまで、遊技者に渡されることのない記憶媒体（封入式記憶媒体）を使用して遊技していた遊技者が、残度数を有した状態で台の移動を希望したとき、残度数を記録したカードを発行するための補充を遊技者は待つ必要があり、また、その間遊技が一時中断し、その間ホールの従業員が何度も呼ばれるなど混乱が生じ、更に稼働率向上の点からは望ましくない問題点を有した。
【００１１】
更に、カード補充を待っている間に、遊技者の気が変わって遊技を再開継続しようとした場合、既に一旦返却ボタンを押して返却状態としていると、台間機はカード補充要求表示、カード補充要求状態を継続し、遊技を継続したいという遊技者の要望が満たされないという混乱が生じる。
【００１２】
更に、従来カード毎にＩＤを付与して発行している。
ところで、封入式記憶媒体を使用する場合、返却状態としたときの残度数を記録して白カードを発行すると、封入式記憶媒体と、封入式記憶媒体に記録されていた残度数を記録させる新たに発行するカードとで、別の売上として集計しなければならず、遊技者毎の入金、消費度数、残度数の集計が困難となり、遊技者毎の損益計算が困難となるという混乱が生じる。
【００１３】
この発明は、これらの問題点を解決するためになされたもので、主たる目的が封入式記録媒体を使用しての遊技に対して混乱のないホール運営が可能とする記憶媒体処理装置、記憶媒体処理方法、記憶媒体処理システムを提供する。
またこの発明の従たる目的が、封入式記憶媒体を使用して遊技していた遊技者が、残度数を有した状態で台の移動を希望したとき、残度数を記録したカードを発行するための補充を行う際に生じる稼動率の低下を極力防止可能とする記憶媒体処理装置、記憶媒体処理方法、記憶媒体処理システムを提供する。
そしてこの発明の他の従たる目的が、封入式記憶媒体と、封入式記憶媒体に記録されていた残度数を記録させる新たに発行するカードとで、遊技者毎の入金、消費度数、残度数の集計を可能とする記憶媒体処理装置、記憶媒体処理方法、記憶媒体処理システムを提供する。
【課題を解決するための手段】
【００１４】
請求項１記載の発明は、
【００１５】
貨幣を受け付けて識別する貨幣識別手段と、
受け付けた貨幣の額に応じて有価価値を付与する有価価値付与手段と、
移動可能な外部排出式記憶媒体を受け入れて感知する記憶媒体受入手段と、
通常は記憶媒体処理装置に関連づけて設置され、有価価値を特定可能な有価価値特定情報を読み取られる内蔵式記憶媒体と、
記憶媒体受入手段が外部排出式記憶媒体の受入を感知しない場合には、外部排出式記憶媒体を受入可能な待機状態とし、有価価値を特定可能な有価価値特定情報を内蔵式記憶媒体に対し読み取り可能な受入待機手段と、
記憶媒体受入手段が外部排出式記憶媒体の受入を感知する場合には、有価価値を特定可能な有価価値特定情報を外部排出式記憶媒体から読み取る外部排出式記憶媒体処理手段と、
操作されると、記憶媒体受入手段が外部排出式記憶媒体の受入を感知する場合には、外部排出式記憶媒体を遊技者が受け取り可能に外部に排出して次の外部排出式記憶媒体を受入可能な待機状態とすることを含んでなり、
記憶媒体受入手段が外部排出式記憶媒体の受入を感知しない場合には、外部排出式記憶媒体の発行の促しを行う発行操作手段と、
操作されると、内蔵式記憶媒体または外部排出式記憶媒体に記憶された有価価値特定情報によって特定される有価価値の範囲内で遊技媒体を遊技者に貸し出す貸出手段と、
とからなることを特徴とする記憶媒体処理装置、を提供する。
【００１６】
更に、請求項２記載の発明は、
【００１７】
前記記憶媒体処理装置はキャンセル操作手段を備え、
キャンセル操作手段は、
操作されると、記憶媒体受入手段が外部排出式記憶媒体の受入を感知しない場合には、外部排出式記憶媒体の発行の促しをキャンセルさせることを特徴とする請求項１に記載の記憶媒体処理装置、からなる。
【００１８】
又、請求項１２記載の発明は、
【００１９】
貨幣を受け付けて識別する貨幣識別ステップと、
受け付けた貨幣の額に応じて有価価値を付与する有価価値付与ステップと、
外部排出式記憶媒体を受け入れて感知する記憶媒体受入ステップと、
記憶媒体受入ステップが外部排出式記憶媒体の受入を感知する場合には、有価価値を特定可能な有価価値特定情報を外部排出式記憶媒体から読み取る外部排出式記憶媒体処理ステップと、
外部排出式記憶媒体の受入が感知されない場合に、外部排出式記憶媒体を受け入れ可能な待機状態とするとともに、有価価値を特定可能な有価価値特定情報を内蔵式記憶媒体から読み取る受入待機ステップと、
操作されると、有価価値付与ステップが付与した有価価値の範囲で遊技媒体を貸し出す貸出ステップと、
操作されると、記憶媒体受入手段が外部排出式記憶媒体の受入を感知する場合には、外部排出式記憶媒体を遊技者が受け取り可能に外部に排出して次の外部排出式記憶媒体を受入可能な待機状態とし、記憶媒体受入ステップによって外部排出式記憶媒体の受入を感知しない場合に、外部排出式記憶媒体の発行の促しを行う発行操作ステップと、からなることを特徴とする記憶媒体処理方法、を提供する。
【００２０】
更に、請求項１３記載の発明は、
【００２１】
前記記憶媒体処理方法において、
発行操作ステップにより外部排出式記憶媒体の挿入の促しを行う場合に、
操作されると、外部排出式記憶媒体の発行の促しをキャンセルするキャンセル操作ステップを有する請求項１２に記載の記憶媒体処理方法、からなる。
【００２２】
したがって、この発明では、
貨幣識別手段（ステップ）によって、貨幣を受け付けて識別し、有価価値付与手段によって、受け付けた貨幣の額に応じて有価価値を付与する。
そこで本発明の記憶媒体処理装置は、通常は記憶媒体処理装置に関連づけて設置され、有価価値を特定可能な有価価値特定情報が読み書きされる内蔵式記憶媒体を備え、記憶媒体受入手段（ステップ）が外部排出式記憶媒体の受入を感知しない場合には、外部排出式記憶媒体を受入可能な待機状態とし、有価価値を内蔵式記憶媒体に対し読み書きする受入待機手段（ステップ）と、
【００２３】
記憶媒体受入手段（ステップ）が外部排出式記憶媒体の受入を感知する場合には、有価価値を特定可能な有価価値特定情報を外部排出式記憶媒体に対し読み書きする外部排出式記憶媒体処理手段（ステップ）と、
を備えるので、受け付けた貨幣の額に応じて付与した有価価値が特定可能な有価価値特定情報が、外部排出式記憶媒体を記憶媒体受入手段（ステップ）が受け入れていないとした場合でも内蔵式記憶媒体に記録されて、ただちに、貸出手段（ステップ）によって内蔵式記憶媒体に記録される有価価値特定情報の範囲内で遊技媒体を遊技者に貸し出すことができる。
【００２４】
そして更に本発明の記憶媒体処理装置は、発行操作手段（ステップ）においては、操作されると、記憶媒体受入手段が外部排出式記憶媒体の受入を感知しない場合には、外部排出式記憶媒体の発行の促しを行うので、早期の外部排出式記憶媒体の発行が期待できる。
まず外部排出式記憶媒体を受入可能な待機状態から外部排出式記憶媒体の挿入がなされると、外部排出式記憶媒体処理手段（ステップ）によって有価価値を特定可能な有価価値特定情報を外部排出式記憶媒体に対し読み書きする。そこで、発行操作手段（ステップ）は、操作されると、外部排出式記憶媒体を遊技者が受け取り可能に外部に排出して次の外部排出式記憶媒体を受入可能な待機状態とすることを含むので、遊技者は、開店直後に遊技台を選択するため多頻度に台移動するような場合に迅速に台移動可能となり、遊技台の稼動率が向上する。そして更に、記憶媒体受入手段（ステップ）が外部排出式記憶媒体の受入を感知しない場合、キャンセル操作手段（ステップ）によって、操作されると、外部排出式記憶媒体の発行の促しがキャンセルさせるので、遊技者が台移動を思いなおして、その遊技機で遊技を行うことも可能となり、遊技機の稼動率が向上する。
【００２５】
尚、貨幣識別手段（ステップ）は、紙幣や硬貨を受け付けて識別する以外に、例えば、電子マネー記憶媒体、クレジットカードやデビットカードを受け入れて認証し、貨幣に相当する金銭を引き落とすようにしてもよい。
尚、有価価値付与手段（ステップ）は、有価価値が零の場合とそうでない場合の有価価値に対し受け付けた貨幣の額に応じた有価価値を加算するようにしても良い。
【００２６】
尚、記憶媒体受入手段（ステップ）は、一例を挙げれば、外部排出式記憶媒体の受け入れをその投入口で例えば光式センサ等で感知後、搬送ベルトなどによって搬送して受け入れるよう構成しても良い。感知は、光式センサ以外に、記憶媒体が非接触ＩＣカードである場合、その存在を確認するための問い合わせ信号を電波として放射し、応答があれば感知と判断するようにしてもよい。
【００２７】
尚、通常は記憶媒体処理装置に関連づけて設置されるとは、その記憶媒体処理装置と内蔵式記憶媒体が有価価値を特定可能な有価価値特定情報が読み書き可能であればよい。通常でない場合、例えば、記憶媒体処理装置が突然落雷などで故障した場合、記憶媒体処理装置から内蔵式記憶媒体を取り外し、外部の精算機などの他の装置でその内蔵式記憶媒体に記録された有価価値特定情報が読み出し、有価価値特定情報で特定される有価価値を現金で払い出すこともでき、遊技客の所有物である有価価値を保障することができる。例えば、落雷などで、パチンコホールの記憶媒体処理装置が一斉に停止したときには、遊技者を待たせないよう、記憶媒体処理装置を島からワンタッチで取り外し、ネジを一つ外せば、内蔵式記憶媒体が容易く取り出せるようにすることが望ましい。
また尚、外部排出式記憶媒体、内蔵式記憶媒体の形状は、例えば、カード形状、コイン形状が主に採用される形状となるが、その形状は限定されない。
【００２８】
尚、有価価値を特定可能な有価価値特定情報とは、例えば、利用者を識別するためのＩＤ、受け付けた貨幣の額を度数化した度数などの情報が含まれる。例えば、このＩＤに基づいて、管理装置に記録された有価価値を読み出すことで有価価値を特定することなどができる。
【００２９】
尚、発行操作手段としては、例えば、遊技者が有価価値を残した状態で遊技を終了する際、有価価値特定情報を記録した記憶媒体を、その有価価値分、貨幣で返却する精算機に挿入すべく返却するための返却ボタンを割り当てるようにしてもよい。また例えば「操作されると、記憶媒体受入手段（ステップ）が外部排出式記憶媒体の受入を感知する場合には、外部排出式記憶媒体を遊技者が受け取り可能に外部に排出して次の外部排出式記憶媒体を受入可能な待機状態とする。（仮にＡ機能とする）」と、「操作されると、記憶媒体受入手段（ステップ）が外部排出式記憶媒体の受入を感知しない場合には、外部排出式記憶媒体の発行の促しを行う。」とは、別ボタンとすることもできる。即ち、発行操作手段は、複数の操作ボタンやリモコン操作によって操作するよう構成してもよい。
【００３０】
然れども、遊技者にとって新たな機能を起動する別ボタンの意義を学習するまでは、実際使われず、遊技者が店員に声をかけて外部排出式記憶媒体の挿入を促すようになる。従って、例えば、返却ボタンを押した際、有価価値特定情報が記録されて返却されるはずの外部排出式記憶媒体が返却されない場合、外部排出式記憶媒体の挿入の促しを行うので、ワンボタン押し動作でスムーズに混乱なく、早期の外部排出式記憶媒体の挿入が期待できる。
【００３１】
また尚、「操作されると、記憶媒体受入手段（ステップ）が外部排出式記憶媒体の受入を感知する場合には、外部排出式記憶媒体を遊技者が受け取り可能に外部に排出して次の外部排出式記憶媒体を受入可能な待機状態とする（Ａ機能）ことを含んでなり、」とは、例えば、操作された場合に、記憶媒体処理装置が、外部排出式記憶媒体の回収機能を有し、有価価値が零の場合に外部排出式記憶媒体を回収し、有価価値が零でない場合は回収せず上記Ａ機能を起動するなど上記と異なる態様を取ることができる。従って、上記Ａ機能が一態様として実行できれば本発明に含まれる。
【００３２】
また尚、発行操作手段の「外部排出式記憶媒体の発行の促し」とは、外部排出式記憶媒体が記憶媒体受入手段（ステップ）に受け入れてあれば有価価値特定情報を外部排出式記憶媒体に書き込んで発行するまで他の一切の操作や処理、例えば、入金、貸玉を禁止するようにして促すようにしてもよいし、外部排出式記憶媒体が記憶媒体受入手段に受け入れてなければ外部排出式記憶媒体の挿入を促すための表示を行うとか、他の一切の操作や処理を禁止するようにして促すようにしてもよい。パチンコホールにおける館内放送で、「○△番台の台間機のカードを補充してください。」と放送するようにしてもよい。状態表示ランプにエラー発生を示す赤色を点滅し、外部排出式記憶媒体の挿入を促すようにしてもよい。発行の促すやりかたはいろいろと考えられ、ここでは限定することができない。
【００３３】
尚、キャンセル操作手段（ステップ）における「操作される」とは、例えば、返却ボタンが発行操作手段として一旦押されて再び押された場合、貸玉ボタンが押された場合などが例示できるが、これらに限定できない。
尚、貸出手段（ステップ）においての、「操作される」とは、例えば、記憶媒体処理装置が遊技機に付属された貸玉ボタンを押された旨の信号を受けて操作を感知するものや、記憶媒体処理装置に付属した貸玉ボタンを押されたことを検知するものなどが例示できる。
【００３４】
また尚、貸出手段（ステップ）においての、「遊技媒体を遊技者に貸し出す」とは、例えば、記憶媒体処理装置が遊技機本体に遊技媒体を貸し出すよう指示するものや、記憶媒体処理装置に付属したノズルより隣接する遊技機の上皿へ遊技媒体を貸し出すものなどが例示できる。
【００３５】
更にまた、請求項３記載の発明は、
【００３６】
外部排出式記憶媒体の挿入を促す挿入促し表示手段と、
外部排出式記憶媒体に記憶される有価価値、または、内蔵式記憶媒体に記憶される有価価値を表示する有価価値表示手段と、
を有し、
発行操作手段は、
操作されると、記憶媒体受入手段が外部排出式記憶媒体の受入を感知しない場合は外部排出式記憶媒体の挿入促し表示を表示させ、
キャンセル操作手段は、
操作されると、記憶媒体受入手段が外部排出式記憶媒体の受入を感知しない場合は外部排出式記憶媒体の挿入促し表示をキャンセルさせるとともに、外部排出式記憶媒体に記憶される有価価値、または、内蔵式記憶媒体に記憶される有価価値を表示する有価価値表示を再度表示させることを特徴とする請求項１または請求項２に記載の記憶媒体処理装置、からなる。
【００３７】
更に、請求項１４記載の発明は、
【００３８】
通常は、外部排出式記憶媒体に記憶される有価価値、または、内蔵式記憶媒体に記憶される有価価値を表示する有価価値表示ステップを実行し、
発行操作ステップによる外部排出式記憶媒体の挿入促しが挿入を促す旨の表示であり、操作されてキャンセル操作ステップを実行すると、再び有価価値表示ステップを実行させることを特徴とする請求項１２または請求項１３に記載の記憶媒体処理方法からなる。
【００３９】
したがって、この発明では、請求項１（１２）記載発明の作用効果に加え、
発行操作手段（ステップ）は、操作されると、記憶媒体受入手段（ステップ）が外部排出式記憶媒体の受入を感知しない場合は外部排出式記憶媒体の挿入促し表示を表示させるので、外部排出式記憶媒体の記憶媒体受入手段（ステップ）への早期の挿入が期待でき、
キャンセル操作手段（ステップ）は、
【００４０】
操作されると、記憶媒体受入手段（ステップ）が外部排出式記憶媒体の受入を感知しない場合は外部排出式記憶媒体の挿入促し表示をキャンセルさせるとともに、外部排出式記憶媒体に記憶される有価価値、または、内蔵式記憶媒体に記憶される有価価値を表示する有価価値表示を再度表示させるので、遊技者が、台移動を思いとどまり遊技を継続する場合、外部排出式記憶媒体の挿入促し表示をキャンセル後、早期に有価価値（度数等）の表示を見ながら遊技することができる。
【００４１】
尚、外部排出式記憶媒体の挿入促し表示とは、例えば、有価価値（度数）表示を行う７セグメントＬＥＤを用いて「Card」と表示するようにしてもよいし、「ブランクカード挿入」と記憶媒体処理装置の遊技者が視認可能な表面に記載して、その文言の周囲にＬＥＤを設けて点灯するようにしもよい。文字をドット表示可能な電光掲示板を記憶媒体処理装置に装着し、テロップ表示してもよい。
【００４２】
更に、請求項４記載の発明は、
【００４３】
記憶媒体受入手段が外部排出式記憶媒体の受入を感知しない場合から待機後新たな外部排出式記憶媒体の受入を感知する場合に、カードを受け入れた旨の表示を行うことを特徴とする請求項１〜３いずれか記載の記憶媒体処理装置、を提供する。
【００４４】
更に、請求項１５記載の発明は、
【００４５】
記憶媒体受入ステップが外部排出式記憶媒体の受入を感知しない場合から待機後新たな外部排出式記憶媒体の受入を感知する場合に、カードを受け入れた旨の表示を行うことを特徴とする請求項１２〜１４いずれか記載の記憶媒体処理方法、を提供する。
【００４６】
したがって、請求項４（１５）記載の発明は、請求項１〜３（１２〜１４）いずれか記載の発明の作用効果に加えて、
記憶媒体受入手段（ステップ）が外部排出式記憶媒体の受入を感知しない場合から待機後新たな外部排出式記憶媒体の受入を感知する場合に、カードを受け入れた旨の表示を行うので、カードの受け入れがなされたことを遊技者や店員が容易に状況把握できる。
【００４７】
尚、カードを受け入れた旨の表示としては、例えば、カードを受け入れたときに、通常は度数表示する７セグメントＬＥＤにて「ＣＡｒｄ」と表示するようにしてもよい。記憶媒体処理装置の遊技者からみて視認可能な表面に「Ｃａｒｄ受入」の文字を印刷または刻印しておき、その文字に隣接する部分にＬＥＤを設けて点灯するようにしてもよい。
【００４８】
更に、請求項５記載の発明は、
【００４９】
記憶媒体受入手段が外部排出式記憶媒体の受入を感知しない場合から待機後新たな外部排出式記憶媒体の受入を感知する場合であって外部排出式記憶媒体の読み取り不良が発生する場合、受け入れた外部排出式記憶媒体を排出し、次の外部排出式記憶媒体を受入可能な待機状態ににすることを特徴とする請求項１〜４いずれか記載の記憶媒体処理装置、を提供する。
【００５０】
更に、請求項１６記載の発明は、
【００５１】
記憶媒体受入ステップが外部排出式記憶媒体の受入を感知しない場合から待機後新たな外部排出式記憶媒体の受入を感知する場合であって外部排出式記憶媒体の読み取り不良が発生する場合、受け入れた外部排出式記憶媒体を排出し、次の外部排出式記憶媒体を受入可能な待機状態にすることを特徴とする請求項１２〜１５いずれか記載の記憶媒体処理方法、を提供する。
【００５２】
したがって、請求項５（１６）記載の発明は、請求項１〜４（１２〜１５）いずれか記載の発明の作用効果に加えて、
記憶媒体受入ステップが外部排出式記憶媒体の受入を感知しない場合から待機後新たな外部排出式記憶媒体の受入を感知する場合であって外部排出式記憶媒体の読み取り不良が発生する場合、受け入れた外部排出式記憶媒体を排出し、次の外部排出式記憶媒体を受入可能な待機状態にするので、外部排出式記憶媒体の不良品を排出することができる。
【００５３】
更に、請求項６記載の発明は、
【００５４】
待機状態においては外部排出式記憶媒体の挿入を促すための信号を外部に出力することを特徴とする請求項１〜５いずれか記載の記憶媒体処理装置、を提供する。
【００５５】
更に、請求項１７記載の発明は、
【００５６】
待機状態においては外部排出式記憶媒体の挿入を促すための信号を外部に出力することを特徴とする請求項１２〜１６いずれか記載の記憶媒体処理方法、を提供する。
【００５７】
したがって、請求項６（１７）記載の発明は、請求項１〜５（１２〜１６）いずれか記載の発明の作用効果に加えて、
待機状態においては外部排出式記憶媒体の挿入を促すための信号を外部に出力するので、その促しにより早期の外部排出式記憶媒体の挿入をすることができる。
【００５８】
尚、外部排出式記憶媒体の挿入を促すための信号を外部に出力することにより、例えば、請求項９〜１１いずれか記載の管理装置がこの出力を受け付けて、パチンコホールにおける館内放送で、その管理装置より「○△番台の台間機のカードを補充してください。」と放送するようにしてもよい。遊技機の上方に設置される大当り回数などを表示し、呼び出しボタンが押されるとランプが点滅する所謂データ表示機や、その呼び出しボタンが押されたことを受けて島端のコーナーに設置される従業員を呼ぶためにランプが点滅する所謂代表ランプがこの出力を受け付けて、呼び出しボタンが押された場合と同様にランプを点滅させるようにしてもよい。
【００５９】
更に、請求項７記載の発明は、
【００６０】
内蔵式記憶媒体が、非接触に記憶の更新可能でかつ外部に取り出し可能な固定式ＩＣタグである請求項１〜６いずれか記載の記憶媒体処理装置、を提供する。
【００６１】
したがって、請求項７記載の発明は、請求項１〜６いずれか記載の発明の作用効果に加えて、
内蔵式記憶媒体が、非接触に記憶の更新可能でかつ外部に取り出し可能な固定式ＩＣタグとすることで、例えば、落雷などによって、請求項９〜１１いずれか記載の管理装置や本発明の記憶媒体処理装置が突然故障した場合においても、非接触で記憶の更新可能であるため、接触式の場合のようにはんだ付けやコネクタを外すことなく外部に取り出すことが容易に可能となる。外部に取り出されたＩＣタグは、遊技者に渡されて、貸玉毎や、貨幣を受け付けて識別する毎に更新される有価価値を特定可能な有価価値特定情報が記録されるようにすれば、精算機等によって即日または後日に精算可能である。
【００６２】
更に、請求項８記載の発明は、
【００６３】
内蔵式記憶媒体が、バックアップ電源付ＲＡＭであり、外部の他の装置と通信しないオフラインの場合かつ待機状態に外部排出式記憶媒体の受入を感知した場合、受け入れた外部排出式記憶媒体にバックアップ電源付ＲＡＭに記録する有価価値を特定可能な有価価値特定情報を記録可能であることを特徴とする請求項１〜７いずれか記載の記憶媒体処理装置、を提供する。
【００６４】
したがって、請求項８記載の発明は、請求項１〜７いずれか記載の発明の作用効果に加えて、
内蔵式記憶媒体が、バックアップ電源付ＲＡＭであり、外部の他の装置と通信しないオフラインの場合かつ待機状態に外部排出式記憶媒体の受入を感知した場合、受け入れた外部排出式記憶媒体にバックアップ電源付ＲＡＭに記録する有価価値を特定可能な有価価値特定情報を記録可能であるので、例えば、落雷などによって、請求項９〜１１いずれか記載の管理装置や本発明の記憶媒体処理装置が突然故障した場合においても、バックアップ電源付ＲＡＭが記録を保持するので、その他の部品や管理装置を交換した後に受け入れた外部排出式記憶媒体に有価価値特定情報を記録するので、精算機等によって即日または後日に精算可能である。
【００６５】
更に、請求項９記載の発明は、
【００６６】
請求項１〜８いずれか記載の記憶媒体処理装置を有し、更に精算機および管理装置を具備し、記憶媒体処理装置と、精算機と、管理装置とがそれぞれ通信可能に接続された記憶媒体処理システムであって、
精算機が、
外部排出式記憶媒体を受け入れ、外部排出式記憶媒体から有価価値特定情報を読み取り、読み取られた有価価値特定情報によって特定される有価情報に基づいて貨幣を払い戻し、外部排出式記憶媒体の有価価値特定情報によって特定され、払い戻された貨幣に対応して有価価値を更新する精算機であり、
管理装置は、
記憶媒体処理装置にて処理される有価価値を記録し、
精算機にて読み出した外部排出式記憶媒体に記録された有価価値特定によって特定され、払い出された貨幣に対応して更新される有価価値を更新記録する管理装置である、
ことを特徴とする記憶媒体処理システム、を提供する。
【００６７】
したがって、請求項９記載の請求項１〜８いずれか記載の発明の採用効果に加えて、
遊技者は記憶媒体受入手段が外部排出式記憶媒体の受入を感知しない場合（カードが記憶媒体処理装置に受け入れていない場合）にでも、有価価値特定情報を記録した外部排出式記憶媒体を受け取り、精算機にて外部排出式記憶媒体に記録された有価価値特定情報によって特定される有価情報に基づいて貨幣を払い戻可能となる。
【００６８】
更に、請求項１０記載の発明は、
【００６９】
請求項９に記載の記憶媒体処理システムに、更に、計数機、景品払出機を具備し、計数機と、景品払出機とを含めてそれぞれ通信可能に接続された記憶媒体処理システムであって、
計数機が、
遊技媒体を受け入れて該遊技媒体の数を計数し、
計数した遊技媒体数を、景品払出機にて景品交換可能な遊技媒体貯数とし、当該遊技媒体貯数を特定可能な遊技媒体貯数特定情報として記憶媒体に記録して発券する計数機であり、
景品払出機が、
計数機で発券された記憶媒体の遊技媒体貯数特定情報を読み取り、その読み取られた遊技媒体貯数特定情報によって特定される遊技媒体貯数の範囲内で景品を払い出すか、または、払い出す景品の種別と数量を表示する景品払出機であり、
管理装置は、
計数機にて発券した記憶媒体に記録した遊技媒体貯数特定情報によって特定される遊技媒体貯数を記録し、
景品払出機にて読み出した記憶媒体に記録された遊技媒体貯数特定情報によって特定され、景品の払い出しに対応して更新される遊技媒体貯数を更新記録する、
管理装置である、
ことを特徴とする記憶媒体処理システム、を提供する。
【００７０】
したがって、請求項１０記載の発明は、請求項９いずれか記載の発明の作用効果に加えて、
計数機が計数した遊技媒体貯数の範囲内で、景品払出機が景品を払い出すか、または払い出す景品の種別と数量を表示することができる。
【００７１】
更に、請求項１１記載の発明は、
【００７２】
請求項１０記載の記憶媒体処理システムに、更に、記憶媒体処理装置とは別体の発券機と、再プレー受付機とを具備し、発券機と再プレー受付機とを含めてそれぞれ通信可能に接続された記憶媒体処理システムであって、
記憶媒体処理装置とは別体の発券機が、
貨幣を受け入れて識別し、
受け付けた貨幣の額に応じて有価価値を付与し、
付与された有価価値を特定可能な有価価値特定情報を、貯留された複数の外部排出式記憶媒体に書き込んで発行する発券機であり、
再プレー受付機が、
会員登録を受けた遊技者に発行された会員用外部排出式記憶媒体を受け入れ、受け入れた会員用外部排出式記憶媒体から遊技媒体貯数を特定する遊技媒体貯数特定情報を読み取り、読み取られた遊技媒体貯数特定情報により特定される遊技媒体貯数のうち所定の遊技媒体貯数を再プレー用の遊技媒体貯数に変更する再プレー受付機であり、
管理装置は、
発券機より発行された外部排出式記憶媒体に記録された有価価値特定情報によって特定され、受け入れた貨幣の金額に対応する有価価値を記録し、
再プレー受付機で受付され、遊技媒体貯数特定情報により特定される遊技媒体貯数のうち所定の遊技媒体貯数を再プレー用遊技媒体貯数として変更した再プレー用遊技媒体貯数を記録し、
記憶媒体処理装置にて読み出した会員用外部排出式記憶媒体に記録された再プレー用遊技媒体貯数特定情報によって特定され、再プレー用遊技媒体の貸出に対応して更新される再プレー用遊技媒体貯数を更新記録する、管理装置である、
ことを特徴とする記憶媒体処理システム、を提供する。
【００７３】
したがって、請求項１１記載の発明は、請求項１０記載の発明の作用効果に加えて、
別体の発券機により発券した外部排出式記憶媒体を用いて遊技可能であり、遊技の結果得られた遊技媒体を計数機にて計数して遊技媒体貯数として記録する。そして、再プレー受付機によって遊技媒体貯数のうち所定の遊技媒体貯数を再プレー用遊技媒体貯数に変更し、記憶媒体処理装置にて再プレー用遊技媒体の貸出に対応して更新される再プレー用遊技媒体貯数を更新記録することができる。
【発明の効果】
【００７４】
台間機に貯留された遊技者に渡すことが可能なカードのストックがなくなった場合、それまで、固定式ＩＣカードを使用して遊技していた遊技者が、残度数を有した状態で台の移動を希望したとき、残度数を記録したカードを発行するための補充を遊技者は待つ必要がなくなる。
【００７５】
更に、カード補充を待っている間に、遊技者が気が変わって遊技を再開継続しようとした場合、遊技を継続したいという遊技者の要望が満たされる。
【００７６】
固定式ＩＣカードを使用する場合、返却状態としたときの残度数を記録して白カードを発行しても、固定式ＩＣカードと、固定式ＩＣカードに記録されていた残度数を記録させる新たに発行するカードとでも、統一して集計可能で、遊技者毎の入金、消費度数、残度数の集計が可能である。
【００７７】
本発明の記憶媒体処理装置、記憶媒体処理方法、記憶媒体処理システムにおいては、非会員の遊技者が、券売機まで行ってプリペイドカードを購入せずに、直接遊技台に向かい、記憶媒体処理装置と情報通信ができるように接続された貯留機構付き紙幣識別装置３９の紙幣挿入口に、例えば、１万円などの現金を入金して遊技することが可能であるので、遊技を不便なく快適に行うことができる。また、これによって、遊技者による遊技の停止時間を削減でき、遊技機の稼働率の向上を図ることができ、遊技場の経営の側においては、効率のよい運営をすることが可能である。
【００７８】
また、カード貯留部２２０に貯留された有価価値を有しない非会員用ＩＣカード非会員用磁気カードに、再度、有価価値を付与して発行することが可能であるので、遊技者による遊技の停止時間を削減でき、遊技機の稼働率の向上を図ることが可能である。また、非会員用ＩＣカード又は磁気カードを多数貯留することが可能であるので、店員が非会員用ＩＣカード等の補充または回収を頻繁に行う手間を省くことが可能である。
【００７９】
さらに、有価価値を有しない非会員用ＩＣカード等は、返却されずにカード貯留部２２０によって貯留されるので、非会員用ＩＣカードを紛失するなどの問題を解消することができる。また、カード貯留部２２０における非会員用ＩＣカード等の貯留容量を超えた場合には、カード回収部で非会員用ＩＣカードを回収することが可能であるので、多くの非会員用ＩＣカードを記憶媒体処理装置内に貯留することが可能である。
【００８０】
さらに、会員の遊技者と非会員の遊技者とを、会員用ＩＣカードまたは非会員用ＩＣカード等の利用によって、区別して管理することが可能であるので、会員の遊技者に特典を付与するなどして、会員の遊技者と非会員の遊技者との差別化を図ることができる。
【００８１】
また、上記したように、会員としての処理、非会員としての処理に差を持たせ、会員の処理を優遇することで、再来店を促すようにしているが、会員としての処理、非会員としての処理は前述した処理に限るものではなく、会員としての処理と非会員としての処理に差があればよい。
また、管理装置３７により、各機器の情報を管理しているので、管理装置３７に接続されているパーソナルコンピュータ４４などで、各遊技機毎や遊技ホール全体としての売上状況、各会員の遊技者の利用状況などを一括して把握することが可能である。
【００８２】
さらに、上記した一実施の形態では、遊技媒体としてパチンコ玉が使用された場合について説明したが、勿論、遊技媒体にメダルを使用した場合にも同様の作用効果を得ることが可能である。
【発明を実施するための最良の形態】
【００８３】
以下、本発明に係る記憶媒体処理システムの一実施の形態を説明する。
【００８４】
図示しない移動式記憶媒体には、会員が遊技に使用するいわゆる会員カードと、非会員が遊技に使用する非会員カードがある。非会員カードはいわゆるプリペイドカードであってもよい。
会員カードは、ＩＣカードからなる。非会員カードは、ＩＣカードからなるが磁気カードからなってもよい。磁気カードを使用する場合はＩＣカード用リーダーライターとは別途に磁気用リーダーライターを併せて設ける。カードは、カード形状記憶媒体からなる。
また固定式記憶媒体には、カード形状をなすＩＣカードが採用される。
【００８５】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカードを有する遊技者をいう。また、非会員の遊技者とは、会員登録されていない一般の遊技者をいう。
【００８６】
図１に図示する、この一実施の形態の記憶媒体処理システムでは、複数のパチンコ機（図示せず）および複数のパチンコ機のそれぞれに接続された記憶媒体処理装置である台間機１１（ユニット１１ａ、サンド１１ｂ）、複数のスロットマシン機（図示せず）およびスロットマシン機間に接続された台間機１１（台間メダル貸機１１ｃ）が島コンピュータ２１を介してネットワーク３１に接続されている。
また、ネットワーク３１には、計数機３２、精算機３３、景品管理機（ＰＯＳ）３４、再プレー受付機３５、発券機３６、管理装置３７なども接続されている。管理装置３７には、プロトコルコンバータ４１、モデム４２が接続され、モデム４２は、カードセンター４３と一般通信回線を通じて接続する。
３４ａは、バーコードリーダーである。
３８はＰＯＳ３４に接続する景品払い出し機である。３９は、貯留機構付き紙幣識別装置（ビルバリ）であり台間機１１について２台に１台取付られる。
【００８７】
これらの機器からの情報は、ネットワーク３１を介して管理装置３７に出力され、さらに、プロトコルコンバータ４１、モデム４２を介してカードセンタ４３に送信される。また、管理装置３７は、例えば、パーソナルコンピュータ４４などとも接続されている。また、管理装置３７からの情報は、ネットワーク３１を介して各機器に出力される。
【００８８】
以下、本発明の実施の形態の記憶媒体処理装置、記憶媒体処理方法、記憶媒体処理システムを構成する記憶媒体や各機器のそれぞれについて説明する。
【００８９】
（会員用ＩＣカードおよび非会員用ＩＣカード）
会員用ＩＣカードおよび非会員用ＩＣカード、非会員用磁気カードについて説明する。
【００９０】
会員用ＩＣカードおよび非会員用ＩＣカードは、従来から遊技システムで使用されていたＩＣチップを有する記憶媒体であり、カード形状を有している。非会員用ＩＣカードは、会員用ＩＣカードよりもカードの縦および横の長さが短く、さらに、厚さが薄く構成されている。非会員用カードとして磁気カードを用いた場合は、ＩＣカードよりも薄くなる。
【００９１】
これらの移動式カードである、会員用ＩＣカードや非会員用ＩＣカードは、ＩＣチップと、そのＩＣチップを取り巻くアンテナ部とを有する非接触型の記憶媒体であり、アンテナ部を介してＩＣチップに情報の読み書きをすることが可能である。
【００９２】
会員用ＩＣカードまたは非会員用ＩＣカード等を用いた管理システムにおいては、それぞれについて、次に示した管理システムの内のいずれか１つを採用することができる。
【００９３】
会員用ＩＣカードは、（１）ＩＤだけの記録情報を有し、その他の情報は管理装置３７において管理されるシステム、または、（２）ＩＤ以外に度数などの有価情報などの情報を有し、さらに、その情報は管理装置３７においても管理されるシステムを採用することができる。
【００９４】
ここで、会員用ＩＣカードを用いた場合の遊技情報とは、ＩＤ、識別符号、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカードを用いた場合の会員として処理される情報である。
【００９５】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカードを用いた場合の管理装置３７によって管理される情報は、これらに限るものではなく、遊技管理を行う上で必要な情報であれば管理することができる。
【００９６】
非会員用ＩＣカードは、（３）ＩＤのみの記録情報を有し、その他の情報は管理装置３７において管理されるシステム、（４）度数などの有価情報などの情報を有し、管理装置３７においてはその情報を管理しないシステム、（５）ＩＤ、識別符号以外に度数などの有価情報などの情報を有し、さらに、その情報は管理装置３７においても管理されるシステムを採用することができる。（４）は、管理装置３７において情報の管理をする必要がある会員用ＩＣカードには採用されない。尚、本実施例においては、上記（５）のシステムを例示する。
非会員カードとして、磁気カードを用いた場合は、記憶容量の点からカードに記憶される情報としては、ＩＤと残度数に限られる。
【００９７】
ここで、非会員用ＩＣカードを用いた場合の情報とは、度数、貸玉、入金、追加入金、貸玉数、アウト、セーフ、勝敗などの遊技情報、これらの情報を所定の期間に限って管理する情報などをいう。これらの情報は、非会員用ＩＣカードを用いた場合の非会員として処理される情報である。また、これらの情報には、貯玉数、再プレー用貯玉数、再プレー手数料、ポイント、遊技台種別などが含まれない点で会員用ＩＣカードを用いた場合の会員として処理される情報と異なる。また、非会員用ＩＣカードを用いた場合の管理装置３７によって管理されている情報は、これらに限るものではなく、遊技管理を行う上で必要な情報であれば管理することができる。
【００９８】
（発券機３６）
図８は、発券機３６の正面図である。図１５は発券機３６における動作の流れを示す図である。
【００９９】
３６ａはカード挿入口、３６ｂは紙幣挿入口、３６ｃは釣銭返却口、３６ｄは購入度数ボタン、３６ｅは取消／釣銭請求ボタンである。
【０１００】
発券機３６は、紙幣挿入口３６ｂから挿入された紙幣額に対して購入度数ボタン３６ｄで選択された、１００００円、５０００円、３０００円、１０００円、投入された金額全部をあらわす「１００００」「５０００」「３０００」「１０００」「全部」の表示のなかから金額に対応する度数を、会員用ＩＣカードに更新したり、会員用ＩＣカードが用いられない場合には、その金額に対応する度数が記録された非会員用ＩＣカード、非会員用磁気カードの発行を行う。
【０１０１】
ここで、度数とは、入金された金額を度数化したもので、例えば、１万円を度数化すると１００度数となる。また、発券機３６では、会員用ＩＣカードを利用する場合に、来店ポイントが付与される。付与された来店ポイントは、管理装置３７において、会員用ＩＣカードの識別符号に紐づいて振られたＩＤに基づいて管理されているポイント数に加算される。
【０１０２】
発券機３６は、それぞれ図示しない制御部、カード処理部、非会員用カード発行部、選択ボタン検知部、貨幣識別部から構成されている。
【０１０３】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、カード処理部、非会員用カード発行部、選択ボタン検知部、貨幣識別部の各機部間の信号の出入力、および、ネットワーク３１を介して管理装置３７との間の信号の出入力を制御している。
【０１０４】
カード処理部は、会員用のＩＣカード処理と、非会員用のＩＣカード用の処理として、カード挿入口３６ａから挿入されたそのどちらかのＩＣカードに記憶されたＩＤやそのＩＤで管理されている有価情報などの読み取り、その読み取った情報の制御部へ出力する。紙幣挿入口３６ｂから挿入された紙幣額に対して購入度数ボタン３６ｄで選択された金額に対応する度数をこれらＩＣカードへの書き込みなどを行うもので、例えば、リーダライタなどで構成される。
【０１０５】
またカード処理部は、紙幣挿入口３６ｂから挿入された紙幣額に対して購入度数ボタン３６ｄで選択された金額に対応する度数を、発券機３６の内部に貯留する非会員用ＩＣカードに記録し、さらにＩＤを付与して記録し発券する。
【０１０６】
選択ボタン検知部は、購入度数ボタン３６ｄ、取消／釣銭請求ボタン３６ｅが押されたことを検知し、その押された信号に基づいて、制御部に信号を出力するものである。
【０１０７】
貨幣識別部は、紙幣挿入口３６ｂから挿入される４種類の紙幣を識別し、識別した紙幣の情報を制御部に出力するものである。また、制御部からの情報に基づいて、釣銭返却口３６ｃから紙幣を返却する。
【０１０８】
そして、制御部によって制御される、カード処理部、非会員用カード発行部、選択ボタン検知部、貨幣識別部の各機器部は、以下のように動作する。
【０１０９】
以下、図１５を参照してその動作を説明する。
貨幣識別部は、紙幣が入金された否かを判定する（ステップＳ１１０）。
ステップＳ１１０の判定でＮｏの場合には、制御部は待機状態となり、例えば、この状態で取消／釣銭請求ボタン３６ｅが押されたことがステップＳ１２３で判定されると、入金された紙幣は釣銭返却口３６ｃから返却される（ステップＳ１２４）。
ステップＳ１１０の判定でＹｅｓの場合には、貨幣識別部は、入金された紙幣の識別を行い、その識別情報を制御部１００に出力する（ステップＳ１１１）。また、貨幣識別部で識別された紙幣は、総入金額を加算して発券機３６内の紙幣回収庫（図示しない）に回収される（ステップＳ１１１）。
【０１１０】
購入度数ボタン３６ｄで希望のボタン（１００００円ボタン、５０００円ボタン、３０００円ボタン、１０００円ボタン、全部ボタン）が押されたが否かを選択ボタン検知部が判定する（ステップＳ１１２）。ステップＳ１１２の判定で、ＯＦＦのままの場合には、制御部１００は待機状態となり、例えば、この状態で取消／釣銭請求ボタン３６ｅが押されたことがステップＳ１２３で判定されると、入金された紙幣は釣銭返却口３６ｃから返却される（ステップＳ１２４）。
【０１１１】
ステップＳ１１２の判定で、希望の金額の購入度数ボタン３６ｄが押されたことが選択ボタン検知部で判定された場合には、例えば、購入度数ボタン３６ｄが連続して押されていても同じ動作を繰り返さないようにするために、購入度数ボタン３６ｄのＯＮ履歴がクリアされる（ステップＳ１１３）。
そして、選択された購入度数ボタン３６ｄの情報は、制御部に出力される。
【０１１２】
次に、制御部は、貨幣識別部で識別された紙幣の金額と選択ボタン検知部から出力された選択された購入度数ボタン３６ｄの金額の情報に基づいて、比較判定を行う（ステップＳ１１４）。
【０１１３】
ステップＳ１１４の判定で、識別された紙幣の金額が購入度数ボタン３６ｄの金額より小さい場合（Ｎｏの場合）には、制御部は待機状態となり、例えば、この状態で取消／釣銭請求ボタン３６ｅが押されたことがステップＳ１２３で判定されると、入金された紙幣は釣銭返却口３６ｃから返却される（ステップＳ１２４）。
【０１１４】
一方、ステップＳ１１４の判定で、識別された紙幣の金額が購入度数ボタン３６ｄの金額以上の場合（Ｙｅｓの場合）には、カード処理部は、会員用ＩＣカードが挿入されているか否かを判定する（ステップＳ１１５）。
【０１１５】
ステップＳ１１５の判定で、Ｙｅｓの場合、カード処理部は、会員用ＩＣカード３０に記憶されたＩＤ（後程詳述する３ＱＲＳＹＹＭＭＤＤＴＵＶＷ）を読み取り、同ＩＤに紐付いた残度数を読み取る（ステップＳ１１９）。読み取ったＩＤ、残度数を制御部に出力する（ステップＳ１１９）。さらに制御部は、そのＩＤ、貨幣識別部で識別された紙幣の金額、選択された購入度数ボタン３６ｄの金額をネットワーク３１を介して管理装置３７に送信する（ステップＳ１１９）。また、会員用ＩＣカードを利用の場合に付与される来店ポイントが付与され、付与された来店ポイントは、管理装置３７において、会員用ＩＣカードのＩＤに基づいて管理されているポイント数に加算される（ステップＳ１１９）。管理装置３７は、読み取られたＩＤの度数残高に、購入した度数を追加し、その更新された情報をネットワーク３１を介して制御部に出力する（ステップＳ１２０）。
会員ＩＤに紐付いて購入度数分の度数を残度数に加算記録する（ステップＳ１２０）。
【０１１６】
そして、制御部は、その情報をカード処理部に出力し、カード処理部は、その情報を表示部に出力し、表示部は、例えば、度数残高などを表示する（ステップＳ１２０）。会員用ＩＣカードは、カード処理部によってカード挿入口３６ａから返却される。（ステップＳ１２１）。
【０１１７】
一方、ステップＳ１１５の判定で、Ｎｏの場合、非会員用カード発行部は、貯留された非会員用小ＩＣカードにＩＤ（後程詳述する２ＱＲＳＹＹＭＭＤＤＴＵＶＷ）を、非会員小カードの識別符号に紐付いて付与し（ステップＳ１１６）、その情報を制御部に出力する（ステップＳ１１７）。
【０１１８】
ステップＳ１１６においては、発券機３６はＩＤ付与要求信号を非会員用ＩＣカードの識別番号（台番号識別可能な２ＱＲＳ：ＱＲＳは実際に使っていない遊技台の番号を発券機３６の番号として割り当てる。）とＳ１１１にて貨幣識別部で識別された紙幣の金額の範囲で選択された購入度数ボタン３６ｄの金額に応じた度数（１万円で１００度数）とともにネットワーク３１を介して管理装置３７に送信する。管理装置３７ではＩＤ付与要求信号を受けると、ＩＤ付与順の通し番号でＩＤ番号を発行し、ＩＤ番号で指定できる記録エリアに非会員用ＩＣカードの識別番号を含んだＩＤ番号と度数を記録し、ＩＤ番号と度数を発券機３６へ送信する。そして発券機３６は受信すると、そのＩＤ番号と度数を非会員用ＩＣカードに記録する。（ステップＳ１１７）。
【０１１９】
また、非会員用カード発行部は、付与されたＩＤを非会員用ＩＣカードに記録し、その非会員用ＩＣカードを、例えば、カード挿入口３６ａから発行する（ステップＳ１１８）。
【０１２０】
ここで、制御部において、貨幣識別部で識別された紙幣の金額から選択された購入度数ボタン３６ｄの金額が減じ、残金額に対応する情報を表示部に出力する（ステップＳ１２２）。そして、制御部から出力された残金額に対応する情報に基づいて、表示部では、その残金額を表示する（ステップＳ１２２）。
【０１２１】
ここで、ステップＳ１２３において、選択ボタン検知部によって取消／釣銭請求ボタン３６ｅが押されたことが判定（Ｙｅｓの場合）されると、その情報を制御部に出力する。制御部は、貨幣識別部に残金を返却するための情報を出力する。そして、貨幣識別部は、その情報に基づいて、残金を釣銭返却口３６ｃから返却する（ステップＳ１２４）。一方、ステップＳ１２３の判定がＮｏの場合、制御部は待機状態となる。次いで、スタートにリターンする。
【０１２２】
（再プレー受付機１２）
図１４は再プレー受付機３５における動作の流れを示す図である。
【０１２３】
３５ｂは、会員カード挿入口、３５ａは暗証番号入力用テンキーボード、３５ｃは端玉／端メダル受取口である。
【０１２４】
再プレー受付機３５は、会員用ＩＣカードに記憶されたＩＤと共に、管理装置３７の再プレーＦＬＧ、貯玉数および再プレー用貯玉数の情報を書き換えるための要求信号を、ネットワーク３１を介して管理装置３７に送信し、再プレーを行える状態にするものである。
【０１２５】
再プレーＦＬＧは、管理装置３７に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機３２において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機３５では、会員用ＩＣカードの利用によって付与されるポイントを、例えば、再プレー用貯玉数に還元することもできる。
【０１２６】
再プレー受付機３５は、制御部、カード処理部、端玉返却部、選択ボタン検知部から構成されている。
【０１２７】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、カード処理部、端玉返却部、選択ボタン検知部、の各機部間の信号の出入力、および、ネットワーク３１を介して管理装置３７との間の信号の出入力を制御している。
【０１２８】
カード処理部は、会員カード処理部として機能し、会員カード挿入口３５ｂから挿入された会員用ＩＣカードに記憶された、例えば、カードに紐付いたＩＤやそのＩＤで管理されている有価情報などの読み取り、その読み取った情報の制御部への出力、制御部からの更新された有価情報などの会員用ＩＣカードへの書き込みなどを行うもので、例えば、リーダライタなどで構成される。
【０１２９】
選択ボタン検知部は、暗証番号入力用テンキーボード３５ａ、端玉／端メダル返却ボタン、カード返却ボタン、再プレー受付ボタンが押されたことを検知し、その押された信号に基づいて、制御部に信号を出力するものである。
【０１３０】
そして、制御部によって制御される、カード処理部、端玉返却部、選択ボタン検知部の各機器部は、以下のように動作する（図１４）。
【０１３１】
以下に、図１４を参照してその動作を説明する。
カード処理部は、会員用ＩＣカードが挿入されているか否かを判定する（ステップＳ１６０）。ステップＳ１６０の判定で、Ｎｏの場合、制御部は待機状態となる。一方、ステップＳ１６０の判定で、Ｙｅｓの場合、カード処理部は、会員用ＩＣカードに記憶されたカードに紐付いて振られたＩＤおよびそのＩＤに基づいて管理装置３７に暗証番号の送信を要求後、当該管理装置３７より暗証番号を受信し、制御部に出力する（ステップＳ１６１）。更に、暗証番号を受け付ける（ステップＳ１６２）。
【０１３２】
次に、選択ボタン検知部は、暗証番号入力用テンキーボードで入力された暗証番号を検知し、その検知信号を制御部に出力する。制御部は、会員用ＩＣカードから読み取られた暗証番号と暗証番号入力用テンキーボードで入力された暗証番号とを比較判定する（ステップＳ１６３）。
【０１３３】
ステップＳ１６３の判定で、双方の番号が一致しない場合（ＮＧの場合）は、カード処理部によって、会員用ＩＣカードを会員カード挿入口３６ｂから返却する（ステップＳ１６４）。
【０１３４】
一方、ステップＳ１６３の判定で、双方の番号が一致した場合（ＯＫの場合）は、カード処理部は、読み取ったＩＤを、制御部に出力し、さらに制御部は、そのＩＤをネットワーク３１を介して管理装置３７に送信する（ステップＳ１６５）。そして、管理装置１３は、そのＩＤで管理されている貯玉数などを読み取る（ステップＳ１６５）。
【０１３５】
次に、選択ボタン検知部は、端玉／端メダル返却ボタン、カード返却ボタン、再プレー受付ボタンのいずれかのボタンが押されたことを検知し、押されたボタンを判定する（ステップＳ１６６）。
【０１３６】
ステップＳ１６６の判定で、端玉／端メダル返却ボタンが押されたことが判定されると、その検知信号は、制御部に出力され、さらに、制御部からネットワーク３１を介して管理装置３７に出力される。そして、管理装置３７から端玉分の返却信号が、制御部を介して端玉返却部に出力され、端玉返却部によって、端玉が端玉／端メダル受取口３５ｃから返却される（ステップＳ１６７）。ここで、端玉／端メダル返却ボタンは、貯玉数が少数で、その貯玉を再プレー受付をせずに返却したい場合に押されるもので、それによって、端玉／端メダル受取口３５ｃから返却されるのが端玉である。
【０１３７】
ステップＳ１６６の判定で、カード返却ボタンが押されたことが判定されると、カード処理部は、会員用ＩＣカードを会員カード挿入口３６ｂから返却する（ステップＳ１６８）。
【０１３８】
ステップＳ１６６の判定で、再プレー受付ボタンが押されたことが判定されると、その検知信号は、制御部に出力され、さらに、制御部からネットワーク３１を介して管理装置３７に出力される。そして、管理装置３７において、ステップＳ１６５でＩＤに基づいて読み取られた貯玉数（Ｘ１）が次の式（１）（パチンコの場合）を満たすか否かが判定される（ステップＳ１６９）。
【０１３９】
Ｘ１  ≧  ２５００＋２５００×手数料レート  …  式（１）
ステップＳ１６９の判定で、Ｎｏの場合、再プレー用貯玉数（Ｙ１）が次の式（２）から算出される（ステップＳ１７０）。
【０１４０】
Ｙ１  ＝  Ｘ１  −  Ｘ１×（手数料レート）  …  式（２）
ここで、手数料レートは、例えば、０．３７５などであり、この値は任意に変更される。
【０１４１】
そして、管理装置３７において、カード毎に振られた識別符号に紐付いたＩＤに基づいて再プレー用貯玉数（Ｙ１）が登録され、貯玉数は０と書き換えられる（ステップＳ１７１）。
【０１４２】
ステップＳ１６９の判定で、Ｙｅｓの場合、管理装置において、貯玉数（Ｘ２）は次の式（３）の値に書き換えられ、再プレー用貯玉数が２５００に登録される（ステップＳ１７２、ステップＳ１７３）。
【０１４３】
Ｘ２  ＝  Ｘ１−２５００−２５００×（手数料レート）  …  式（３）
ステップＳ１７０またはステップＳ１７３で、再プレー用貯玉数が登録されると、ＩＤに基づいて管理装置３７の再プレーＦＬＧを１に書き換え、再プレー可能な状態にする（ステップＳ１７４、Ｓ１７５）。
【０１４４】
また、上記式（１）、（２）、（３）はパチンコ台を対象としたものであるが、スロットマシンを対象とする場合、２５００玉に代えて１万円分の５００メダルとすることができる。再プレー受付機に切替ボタンなどを設け、その切替ボタンで、パチンコ台およびスロットマシンのどちらの再プレー受付をするかを選択できるようにすることもできる。また、それぞれ、別体式の再プレー受付機として設けられてもよい。
【０１４５】
ここで、再プレー受付機３５における処理は、上記処理に限るものではない。例えば、再プレー用貯玉を、再プレー受付機３５の端玉／端メダル受取口に排出させてもよい。また、再プレー受付機３５は単独で構成されるものに限らず、例えば、台間機１１に併設されてもよい。この場合、台間機１１には、暗証番号入力用テンキーボードなどがさらに設けられる。
【０１４６】
（台間機１１）
次に、記憶媒体処理装置として機能する台間機１１について説明する。
【０１４７】
図２〜図４には、３種類の台間機１１ａ、１１ｂ、１１ｃの正面図、図１９には台間機内部構成図が図示されている。台間機１１ａ（ユニット）および台間機１１ｂ（サンド）はパチンコ用であり、台間機１１ｃ（台間メダル貸し機）はスロットマシン用である。
【０１４８】
台間機１１ａ（ユニット）は、パチンコ機と情報通信が可能なので、パチンコ機の貸玉ボタンが押されると、パチンコ機内部からパチンコ機の上皿へ直接パチンコ玉を供給することが可能である。一方、台間機１１ｂ（サンド）は、パチンコ機と情報通信不可能なので、パチンコ玉は、サンドのノズルよりパチンコ機の上皿へ供給される。
【０１４９】
また、台間機１１ｃ（台間メダル貸し機）は、台間機１１ｂ（サンド）と同様に遊技機と情報通信不可能なので、メダルは、台間機１１ｃ（台間メダル貸し機）のメダル払出口１９に供給され、遊技者によってスロットマシン機に移動される。なお、台間機１１ｃ（台間メダル貸し機）のメダル払出口にノズルを取り付け、自動的にメダルがスロットマシン機のメダル払出口に供給されるようにしてもよい。
【０１５０】
また、各台間機１１ａ、１１ｂ、１１ｃには、カード挿入口１２、貸玉／再プレイボタン１３、貸メダル／再プレイボタン１４、返却ボタン１５、表示部１６、状態表示ランプ１７、カード回収箱からなるカード回収部１８、メダル払出口１９、リモコン受光部５１、カード種別表示５２などが設けられている。
【０１５１】
カード挿入口１２には、台間機１１ａ、１１ｂ、１１ｃに対する会員用ＩＣカードまたは非会員用ＩＣカードの挿入または排出を行なう。
【０１５２】
会員用ＩＣカードまたは非会員用ＩＣカードがカード挿入口１２から挿入されると、会員用ＩＣカードまたは非会員用ＩＣカードは、カード処理部として機能するリーダライタ部２０３に搬送され、会員用ＩＣカードまたは非会員用ＩＣカードのＩＤなどの情報が読み取られる。
【０１５３】
ここで、１枚の会員用ＩＣカードまたは非会員用ＩＣカード、非会員用磁気カードがカード挿入口１２から挿入されると、図６に図示されるように例えば、ソレノイドなどの機械的手段によって次カード侵入防止突出部２０７により、カード挿入口１２が封鎖されるので、他の会員用ＩＣカードまたは非会員用ＩＣカードを挿入することはできなくなる。これによって、複数の会員用ＩＣカードまたは非会員用ＩＣカードがカード挿入口１２に挿入されることで生じるカード詰りなどを防止することができる。また、ソレノイドなどの機械的手段を用いずに、他の方法でカード詰りなどを防止してもよい。
【０１５４】
貸玉／再プレイボタン１３は、遊技者がパチンコ玉の貸し出しを要求するときに、押されるボタンである。例えば、貸玉／再プレイボタン１３が１回押されると５００円分のパチンコ玉が貸し出しされる。なお、パチンコ玉の貸し出しは、５００円単位で行われる。
【０１５５】
貸メダル／再プレイボタン１４は、遊技者がメダルの貸し出しを要求するときに押されるボタンである。例えば、貸メダル／再プレイボタン１４が１回押されると１０００円分のメダルが貸し出しされる。なお、メダルの貸し出しは、１０００円単位（５０枚）で行われる。
貸玉／再プレイボタン１３および貸メダル／再プレイボタン１４は、再プレー受付機３５において再プレー手続が行われた会員用ＩＣカード使用時にのみ利用され、再プレー用に利用することができるパチンコ玉またはメダルを貸し出しするときに押される。
【０１５６】
カード処理機本体２０１ａとカード処理機開壁部２０１ｂとの間で記憶媒体受入手段を構成している。
返却ボタン１５は、操作されると、リーダライタ部２０３に、有価価値特定情報を移動式記憶媒体に書き込んで発行することを促す。
それとともに、返却ボタン１５は、移動式ＩＣカードを受け入れる記憶媒体受入手段が、移動式ＩＣカードの受入を感知していない場合は移動式ＩＣカードの挿入を促し表示を表示部１６に表示させる。
【０１５７】
表示部１６は、例えば、移動式ＩＣカードに記憶される残度数、または、固定式ＩＣカードに記憶される残度数を表示する残度数表示をする。これによって、度数を確認でき、入金のタイミングを図ることができる。また、表示部１６には、度数以外の情報を表示してもよい。例えば、図７に図示される表示部１６の一部拡大正面図に図示されるように、「１０００円のみ入金可」「会員」「再プレー」「○○万○○○．○」との表示がなされる。
図７に図示されるリモコン受光部５１はホール従業員が使用するリモコンを受光する。カード種別表示５２は緑点灯、赤点灯、青点灯の３種類の点灯が可能である。緑点灯では、キャッシュオン即ち直接紙幣が使用されていることを表示し、赤点灯では、非会員カードが使用されていることを表示し、青点灯では、会員カードが使用されていることを表示する。
【０１５８】
図２〜図４に図示される状態表示ランプ１７は、遊技している遊技者が、会員または非会員なのかを視覚的に識別するためのものである。赤点滅、緑点灯が可能で、例えば、エラー発生時は赤色点滅、正常動作時には緑色点灯する。電源がＯＦＦ状態とされ、オフライン動作中は消灯される。
【０１５９】
図２〜図４に図示されるカード回収部１８は、会員カード処理部および非会員カード処理部として機能するカード処理機２００の非会員用カードを貯留するカード貯留部２２０において、非会員用カードの貯留限度量（１乃至複数）に達した場合に、非会員用カードを再発行可能に一時貯留したのち、貯留部２２０が満杯となって自然に満杯排出孔２１５より落下した先に載置するものである。その回収部１８に落下した非会員用ＩＣカードは、従業員などによって、例えば、営業終了後などに回収される。
１１１は制御部であり、インターフェース回路１１２、ＲＯＭ１１３、ＣＰＵ１１４、ＲＡＭ１１５からなる。１１６は電源回路である。
【０１６０】
また、２台の台間機１１ａに対し１台の割合で、台間機１１ａの上部の固定されたランプ板部に、貨幣識別部である貯留機構付き紙幣識別装置（ビルバリ）３９が設置されている。この貯留機構付き紙幣識別装置３９は、４種類の紙幣に対応できるコンパクトサイズの紙幣識別機からなる貨幣識別部であり、台間機１１および島コンピュータ２１と情報通信可能に接続されている。また、貯留機構付き紙幣識別装置３９は、２台のパチンコ機またはスロットマシン機に対して１台の割合で設けられているため、貯留機構付き紙幣識別装置３９の紙幣挿入口に入金されたときには、２台のパチンコ機またはスロットマシン機の内どちらのパチンコ機２またはスロットマシン機５への入金を判定する必要がある。そこで、貯留機構付き紙幣識別装置３９に２個の遊技機指定ボタンを設け、入金された側の遊技機指定ボタンを押すことによって、入金された側のパチンコ機またはスロットマシン機の指定を行う。また、図２〜図４に示す如く、貨幣識別部である紙幣識別装置３９は、台間機１１の本体に一体的に構成することもできる。
【０１６１】
（カード処理機２００）
次に、カード挿入口１２から挿入された会員用ＩＣカードまたは非会員用ＩＣカードの処理を行うカード処理機２００の実施の形態を説明する。
【０１６２】
図５は、カード処理機２００のカード処理機開壁部２０１ｂの閉口状態の斜視図をあらわす。図６は、カード処理機２００のカード処理機開壁部２０１ｂの開口状態の斜視図をあらわす。
【０１６３】
カード処理機２００は、カード処理機本体２０１ａ、カード処理機開壁部２０１ｂ、カード挿入口２０２（１２）、受入待機手段、移動式記憶媒体処理手段および発行操作手段の読み書き作用をおこなうリーダライタ部２０３、リーダライタ位置検知センサー２０４、回収検知センサー２０５、カード搬送ベルト２０６、次カード侵入防止突出部２０７、会員カード侵入防止堤２０８、挿入検知センサー２１１から構成されている。
カード処理機本体２０１ａとカード処理機開壁部２０１ｂとの間で記憶媒体受入手段２１０を構成し、会員用ＩＣカード、非会員用ＩＣカード等の移動式ＩＣカードを受け入れる。
これら移動式ＩＣカードの記憶媒体受入手段２１０への受入は、挿入検知センサー２１１、リーダライタ位置検知センサー２０４で感知する。
更にカード貯留部２２０を設ける。カード貯留部２２０は、カード挿入口２０２からみて奥部に設け、非会員ＩＣカードを再発行可能に貯留する。具体的にカード貯留部２２０は、２０１ａと対向するカード処理機開壁部ｂ側の壁面のアンテナ駆動回路２０３ａの２０１ａ側部分に、非会員用ＩＣカードの縦横のサイズよりも大きな縦横サイズであり、複数枚の非会員用カードが貯留可能な凹部を形成することによって構成される。
【０１６４】
リーダライタ部２０３は、アンテナ駆動回路を含むＩＣ部２０３ａ、アンテナ部２０３ｂから構成される。リーダライタ部２０３では、記憶媒体受入手段２１０へ挿入された会員用ＩＣカードまたは非会員用ＩＣカードからの情報の読み取りや、会員用ＩＣカードまたは非会員用ＩＣカードへの情報の書き込みが行われ情報は更新される。また、リーダライタ部２０３は、カード処理機開壁部２０１ｂの外壁側に設置され、会員用ＩＣカードまたは非会員用ＩＣカードとカード処理機開壁部２０１ｂの壁部を介して情報の送受信を行っている。会員用ＩＣカード、非会員用ＩＣカード、固定式ＩＣカード２０９が存在するか否か、カード種別、どの遊技台でいつ発行されたカードか、アンテナ部２０３ｂをＩＣ部２０３ａで駆動して非接触に電波を放射して問い合わせ、ＩＤ（後程詳述）を読み取る。そして、これらのカードから度数を読み出し、ＩＤにより管理装置３７に問い合わせて確認するように構成される。これら電波の放射は、記憶媒体受入手段２１０が移動式ＩＣカードを検知する場合、貨幣識別部であるビルバリ３９が紙幣を検知した場合に行うが、所定時間毎に行うようにしてもよい。
非会員カードとして磁気カードを使用する場合は、リーダライタ部２０３に磁気カード用リーダライタをリーダライタ部２０３に並べて設置し、磁気カードに記憶された情報を読み取り、書き込み更新することが可能である。
【０１６５】
２０９は、固定式記憶媒体である。固定式記憶媒体２０９には、固定式ＩＣタグまたは、バックアップ電源付ＲＡＭとを使用することが可能である。
固定式ＩＣタグは、カード状からなり、通常はカード処理機開壁部２０１ｂに固定されるが、固定式記憶媒体２０９の記憶内容を利用する必要があるときは、カード処理機開壁部２０１ｂから取り出すことが可能である。遊技者に更に交付可能としても良い。取り外しはネジ２１２を１本外すと、カード処理機開壁部２０１ｂの壁部の蓋が外れて、固定式ＩＣカード２０９を容易に取り外せるようにしてもよい。
固定式記憶媒体２０９が、固定式ＩＣタグ、キャッシュオンカードからなる場合は、カード処理機２００にアンテナ部２０３ｂに非接触状態で近接させてアンテナ部に並行に固定される。
即ち、固定式記憶媒体２０９は、カード処理機２００内に固定されずとも非接触にアンテナ部２０３ｂと、情報の送受信を行い、記憶の更新可能でかつ外部に取り出し可能である。
アンテナ部２０３ｂは、会員カード、非会員カードがＩＣカードからなるときは、受入待機手段、移動式記憶媒体処理手段および発行操作手段によって両者間で情報の授受、読み取り書込みを行う。非会員カードとして磁気カードを用いるときは、磁気リーダライタが受入待機手段、移動式記憶媒体処理手段および発行操作手段によって両者間で情報の授受、読み取り書込みをおこなう。
尚、固定式ＩＣカードと、非会員用及び会員用の移動式ＩＣカードのリーダライダとは別個に設けてもよい。
固定式記憶媒体２０９が、バックアップ電源付ＲＡＭからなるときは、アンテナ部２０３ｂを介する事なくバックアップ電源付ＲＡＭからなる固定式記憶媒体２０９と、アンテナ駆動回路２０３ａとの間で情報の授受を行い、情報の更新を行う。
【０１６６】
なお、リーダライタ部２０３で読み取り、書き込み、または、読み取りおよび書き込みが不可能な会員用ＩＣカードまたは非会員用ＩＣカード、非会員用磁気カードが挿入された場合には、その会員用ＩＣカードまたは非会員用ＩＣカードは、カード挿入口２０２（１２）から返却される。
【０１６７】
カード搬送ベルト２０６は、図６に図示されるようにリーダライタ部２０３に対向して、カード処理機本体２０１ａに設けられた開口部に配置される。そして、図示しない搬送ステップモータの回転によって、カード搬送ベルト２０６は動作する。このカード搬送ベルト２０６の動作によって、挿入検知センサ２１１がカードの挿入を検知すると、カード挿入口２０２から挿入された会員用ＩＣカードまたは非会員用ＩＣカードは読み書き可能な所定の位置として位置検知センサ２０４がカード端部を検出する位置まで搬送される。
【０１６８】
カード貯留部２２０は、度数残高がゼロになった非会員用ＩＣカードあるいは同磁気カードを貯留し、再発行するブランクカードを貯留する部分である。
また、会員用ＩＣカードまたは非会員用ＩＣカード、プリペイドカードである非会員用磁気カードがカード挿入口２０２（１２）に挿入されずに、貨幣が台間機に挿入され、返却ボタン１５が押された遊技終了後に度数残高がある場合には、その度数残高およびＩＤを記憶させて発券するための非会員用ＩＣカード、非会員用磁気カードがカード貯留部２２０から取り出される。
【０１６９】
カード貯留部２２０の凹部には、凹部に一端が固定され、他端がカード支持板２１３に固定されてカード処理機本体２０１ａの方向へ付勢されるばね２１４が設けられている。そしてばね２１４によって付勢され貯留されたブランク状態の非会員用ＩＣカードはカード搬送ベルト２０６がカード挿入部２０２方向へ駆動すると貯留部２２０より取り出し可能となる。また、カード貯留部２２０の凹部には、非会員ＩＣカードが満杯となった際には自然に満杯排出孔２１５より下方に設置されたカード回収部１８へ落下して回収される。カード貯留部２２０にブランクカードがない場合には光式の空センサ２１６がカード支持板２１３に開口された光透過孔２１７を介して感知すると、管理装置３７へ台番号とともにブランクカードを補充指示する旨の信号が制御部より出力されると管理装置３７は当該台番号とその旨を従業員に通知する。尚、記憶媒体受入手段は、カード挿入部２０２から奥部にかけて境界部２１８が徐々に非会員ＩＣカード１枚分の厚みの分、カード処理機開壁部２０１ｂ方向へなだらかな傾斜を形成しており、このためその傾斜に沿って、カード搬送ベルト２０６が奥部に非会員用ＩＣカードを搬送するとカード貯留部２２０に積層されて貯留されたブランクカードの端部に搬送する非会員ＩＣカード端部が衝突することなく弱いばね２１４の付勢力に抗して貯留部２２０へ貯留可能となる。非会員用ＩＣカードより厚い会員用ＩＣカードはこの境界２１８の徐々に幅狭に形成された進入通路に詰まる手前で会員カード侵入防止堤２０８によって進入を妨害される。
【０１７０】
挿入検知センサー２１１、リーダライタ位置検知センサー２０４、回収検知センサー２０５は、例えば、光学的センサで構成される。各検知センサは、２つの対になるセンサで構成され、２つの対になるセンサは、カード通路である記憶媒体受入手段２１０を挟んで対向するように配置されている。ここで、２つの対になるセンサの一方は発光部、他方は受光部で構成されている。
それぞれ、移動式ＩＣカードの位置を検知する。
【０１７１】
次に、カード挿入口２０２から挿入された会員用ＩＣカードまたは非会員用ＩＣカードの搬送動作を説明する。
【０１７２】
カード挿入口２０２（１２）から会員用ＩＣカードまたは非会員用カードが挿入されたことを挿入検知センサ２１１が検知すると、搬送ステップモータを駆動し、カード搬送ベルト２０６を作動させる。
【０１７３】
会員用ＩＣカードまたは非会員用カードは、カード搬送ベルト２０６によって、リーダライタ部２０３のアンテナ部２０３ｂとの情報の授受を行える位置として位置検知センサ２０４がカード端部を検出する位置まで搬送される。そして、その位置に会員用ＩＣカードまたは非会員用ＩＣカード、非会員用磁気カードの場合は磁気カード用リーダライタとの情報の授受可能な位置まで搬送される。搬送されたことが、検知されると、カード搬送ベルト２０６の動作を停止させる。
【０１７４】
会員用ＩＣカードまたは非会員用ＩＣカード３１の情報が、リーダライタ部２０３のアンテナ部２０３ｂを介してリーダライタ部２０３で読み取られる。会員用ＩＣカードが用いられた場合には、遊技終了後、台間機１１の返却ボタン１５が押されると、最新の情報がリーダライタ部２０３によって会員用ＩＣカードに書き込まれ、カード挿入口２０２から返却される。なお、会員用ＩＣカードが用いられた場合には、度数残高がゼロでもカード挿入口２０２から返却される。
【０１７５】
非会員用ＩＣカードが用いられた場合には、遊技終了後、台間機１１の返却ボタン１５が押され、度数残高を有すれば、最新の情報がリーダライタ部２０３によって非会員用ＩＣカードに書き込まれ、カード挿入口２０２から返却される。
【０１７６】
一方、度数残高がゼロのときには、搬送ベルト２０６を再度作動し、非会員用ＩＣカードは、カード貯留部２２０まで搬送され収納される。
【０１７７】
次に、会員用ＩＣカードまたは非会員用カードがカード挿入口２０２に挿入されずに、貨幣が貯留機構付き紙幣識別装置３９に挿入された場合について説明する。
【０１７８】
会員用ＩＣカードまたは非会員用ＩＣカードがカード挿入口２０２（１２）に挿入されずに、貨幣が貨幣識別部である貯留機構付き紙幣識別装置３９に挿入されると、カード貯留部２２０から貯留されている非会員用ＩＣカードあるいは非会員用磁気カードは、非会員用ＩＣカード等が、リーダライタ部２０３との情報のやり取りを行える位置まで搬送される。
【０１７９】
遊技終了後、台間機１１の返却ボタン１５ｄが押され、度数残高を有すれば、最新の情報がリーダライタ部２０３によって非会員用ＩＣカード又は非会員用磁気カードに書き込まれ、カード挿入口２０２から返却される。
【０１８０】
一方、度数残高がゼロのときには、搬送されカード貯留部２２０に再度貯留される。
【０１８１】
なお、ここでは、会員用ＩＣカードまたは非会員用ＩＣカードがカード挿入口２０２に挿入されずに、貨幣が貯留機構付き紙幣識別装置３９に挿入された場合に、貨幣が貯留機構付き紙幣識別装置３９に挿入されたのち直ちに、カード貯留部２２０から非会員用ＩＣカード又は非会員用磁気カードが取り出される例を示したが、カード貯留部２２０からの非会員用ＩＣカード又は非会員用磁気カードの取り出しは、遊技終了後、台間機１１の返却ボタン１５が押され、度数残高を有することが確認されてから行われてもよい。
【０１８２】
更に、移動式ＩＣカードとしては会員カードも使用せず、貯留部２２０に移動式ＩＣカードの貯留が無く、移動式遊技媒体であるプリペイドカードも使用しないで、貯留機構付き紙幣識別装置（ビルバリ）３９に紙幣を投入して、固定式ＩＣカード２０９を使用して遊技した後の処理する場合について以下説明する。
これら移動式ＩＣカードがなくとも、固定式ＩＣカード２０９に有価価値を特定可能な有価価値特定情報を記憶させて、すなわち、ビルバリに投入された貨幣価値を固定式ＩＣカード２０９の範囲で遊技することは可能である。
【０１８３】
つまりは移動式ＩＣカードがカードリーダライタ２００にない場合、返却ボタン１５の操作により、リーダライタ部２０３に、アンテナ部２０３ｂで受領された固定式ＩＣカード２０９に記憶させた有価価値特定情報を移動式記ＩＣカードである非会員用カードに書き込んで発行することを促す。
リーダライタ部２０３は、アンテナ部２０３ｂで読み取った固定式ＩＣカード２０９に記憶させた有価価値特定情報を、移動式ＩＣカードである非会員用カードに書き込んで発行するが、貯留部２２０に移動式ＩＣカードの貯留が無く、記憶媒体受入手段２１０が移動式ＩＣカードの受入を感知できない場合は、返却ボタン１５を操作すると、状態表示ランプ１７にはエラー発生を示す赤色を点滅し、移動式ＩＣカードの挿入を促す挿入促し表示をする。移動式ＩＣカードの挿入を促す挿入促し表示がされると、遊技機の使用も規制される。
ホール従業員の到着が待てず、遊技者が継続して遊技することに気を変え、記憶媒体受入手段２１０が移動式ＩＣカードの受入を感知前に返却ボタン１５が再度操作されると移動式ＩＣカードの発行の促しをキャンセルさせる。そのため、遊技者は遊技を再開する。状態表示ランプ１７にはエラー発生を示す赤色点滅は、正常動作中をあらわす緑点灯となる。エラー発生を示す赤色点滅は、正常動作中をあらわす緑点灯となると、遊技機の使用も規制は解除され遊技者は遊技可能となる。
【０１８４】
貸玉ボタン１３の操作により、固定式ＩＣカード２０９または移動式ＩＣカードに記憶された有価価値特定情報の範囲内で遊技媒体を遊技者に貸し出すことをＩＣ部２０３ａの一部を構成する貸出手段に促すと、貸出手段であるＩＣ部２０３ａは、固定式ＩＣカード２０９または移動式ＩＣカードに記憶された有価価値特定情報の範囲内で遊技媒体を遊技者に貸し出す。
このとき、貯留部２２０に移動式ＩＣカードの貯留が無く、記憶媒体受入手段２１０が移動式ＩＣカードの受入を感知できない場合は、返却ボタン１５を操作すると、状態表示ランプ１７にはエラー発生を示す赤色を点滅し、移動式ＩＣカードの挿入を促す挿入促し表示をする。移動式ＩＣカードの挿入を促す挿入促し表示がされると、遊技機の使用も規制される。
ホール従業員の到着が待てず、遊技者が継続して遊技することに気を変え、返却ボタン１５操作後、記憶媒体受入手段が移動式ＩＣカードの受入を感知前に、返却ボタン１５が再度操作される代わりに、貸玉ボタン１３が操作された場合は、返却ボタン１５による移動式ＩＣカードの発行の促しをキャンセルさせる。そのため、遊技者は遊技を再開する。状態表示ランプ１７にはエラー発生を示す赤色点滅は、正常動作中をあらわす緑点灯となると、遊技機の使用も規制は解除され遊技者は遊技可能となる。
【０１８５】
次に、移動式ＩＣカードおよび、固定式ＩＣカード２０９のＩＤ処理について説明する。
ＩＤ付与手段は、台間機１１（本発明の記憶媒体処理装置の１態様に相当。）に内蔵される制御部によってなされ、ＩＣ部２０３ａにより駆動されるアンテナ部２０３ｂを介し移動式ＩＣカードにそのＩＤが記録される。
ＩＤ付与手段は、移動式ＩＣカードが記憶媒体受入手段にも、貯留手段にも存在しないときであって貨幣識別部が貨幣を受け付けた際に固定式ＩＣカードに記録された度数が零であった場合と、記憶媒体受入手段に受け入れている移動式ＩＣカードに記録されている度数が零かまたはその移動式ＩＣカードがブランク状態である場合とにおいて、ＩＤ付与が行われる。詳細には、まず台間機１１がＩＤ付与要求信号を固定式ＩＣカードの識別番号（後程詳述する１ＱＲＳ）と受け付けた貨幣の額に応じた度数（１万円で１００度数）ともに管理装置に送信する。管理装置３７ではＩＤ付与要求信号を受けると、ＩＤ付与順の通し番号でＩＤ番号を発行し、ＩＤ番号で指定できる記録エリアに固定式ＩＣカードの識別番号を含んだＩＤ番号と度数を記録し、ＩＤ番号と度数を台間機１１へ送信する。そして台間機１１が受信すると、そのＩＤ番号と度数を固定式ＩＣカードに記録する。
尚、ＩＤ番号は、１６進数にて０ｘ１ＱＲＳＹＹＭＭＤＤＴＵＶＷなどとし、１が固定式ＩＣカード、１に換えて２であれば非会員用移動式ＩＣカード、１に換えて３であれば会員用移動式ＩＣカードを意味し、ＱＲＳが遊技台の番号、ＹＹが２００３年であれば０３、ＭＭが１月〜１２月、ＤＤが１日〜３１日、ＴＵＶＷが発行順とする。管理装置３７においては、１ＱＲＳＹＹＭＭＤＤＴＵＶＷのうち、１ＱＲＳＹＹＭＭＤＤを０ｘ００００００００００ＦＦＦＦでアンドをとってクリアした０ｘＴＵＶＷを用いて、
ＩＤ毎アドレス  ＝  所定先頭アドレス＋０ｘＴＵＶＷ×（１つの記憶媒体で必要とするデータ領域の大きさＷ）…  式（４）
式（４）で規定されるＩＤ毎アドレスからＷの間の所定アドレスにこのＩＤと、付与した有価価値（度数）、受け付けた貨幣の額、貸玉数、アウト、セーフ、勝敗などの遊技情報を記録することになる。
また尚、ＴＵＶＷは、会員用移動式ＩＣカードのみについての０ｘＣ０００以降の発行順とし、固定式ＩＣカードと移動式ＩＣカードとのみについての０ｘ００００〜０ｘＢＦＦＦまでの発行順とすると、管理装置３７は会員と非会員とを分離した集計演算を高速に行うことができる。
また尚、ＱＲＳには、実際には存在しない遊技台番号に発券機３６を割り当て、実際には存在しない遊技台番号に景品管理機（ＰＯＳ）３４、発券機３６にて移動式ＩＤカードを発行し、景品管理機（ＰＯＳ）３４にて会員用移動式ＩＣカードを、夫々既述したＩＤ番号を記録して発行する。
また尚、管理装置３７を接続しない場合には、ＴＵＶＷはその台間機１１における発行順とする。ＱＲＳによって遊技台の番号が特定できるので番号がだぶることはない。
また尚、ＱＲＳは、リモコンによる台間機１１の初期設定モードにおいて、データを所定の手順で台番号をリモコンのテンキーにより入力すると、リモコンはそのデータを送信し、その台番号が台間機１１に受信されるとＩＣ部２０３ａにより駆動されるアンテナ部２０３ｂを介し固定式ＩＣカードに記録される。
固定式ＩＣカードや移動式ＩＣカードは、工場出荷時に書き換え不可能なデータエリアに世の中に２つとない長いＩＤ番号αを記録して、既出のＱＲＳの頭にαＱＲＳとなる数値をＩＤとして発番号するようにしてもよい。
また尚、有価価値（度数）は、１０,０００円で１００度数とする。
ここで、固定式ＩＣカードにて遊技中に新たな移動式ＩＣカードを受け入れた場合、１ＱＲＳＹＹＭＭＤＤＴＵＶＷを２ＱＲＳＹＹＭＭＤＤＴＵＶＷと先頭の１を２に変更し、管理装置３７のＴＵＶＷのみできまるアドレスに記録し直す。当該移動式ＩＣカードの識別符号に紐付いてＩＤをＩＤ付与手段は記憶する。
また、貨幣を受け付けた際に記憶媒体受入手段にブランク状態か度数残高が零の移動式ＩＣカードが存在する場合と、記憶媒体受入手段に移動式ＩＣカードが存在しない場合であって貯留されたブランク状態か度数残高が零の移動式ＩＣカードをカード貯留部２２０より取り出す場合と、のいずれかの場合に、２ＱＲＳＹＹＭＭＤＤＴＵＶＷを管理装置３７のＴＵＶＷのみできまるアドレスに記録する。
したがって、固定式ＩＣカード２０９と、台間機１１が受け入れたり貯留された残度数零かあるいはブランク状態の非会員用移動式ＩＣカードとの区別なく、発行順に決定される既述のＴＵＶＷによってのみ管理装置３７にて特定されるアドレスにＩＤが記録されるため、固定式ＩＣカード２０９を用いての遊技から非会員用移動式ＩＣカードを受け入れ後、残度数が零となるか、精算機にて精算されるまでの遊技情報を遊技者毎に統一して集計することができる。
【０１８６】
次に、台間機１１ａ（ユニット）および台間機１１ｂ（サンド）、台間機１１ｃ（台間メダル貸し機）台間機１１の動作の流れを示す図である図１０、図１１にしたがって動作の流れを説明する。
制御部によって制御される、カード処理部、カード貯留処理部、カード位置検知部、選択ボタン検知部、貨幣識別部の各機器部は、次のように動作する。
貨幣識別部である貯留機構付き紙幣識別装置（ビルバリ）３９が紙幣の入金額を制御部に出力し、制御部は貨幣を受け入れがされたか否かを判定する（ステップＳ３１０）。
【０１８７】
ステップＳ３１０の判定で、紙幣識別装置（ビルバリ）３９が、Ｙｅｓの場合、ステップＳ３１１へ進む。
制御部は、貨幣識別部からの入金可ランプを消灯させ、それ以上の入金を禁止させる（ステップＳ３１１）。
次いでステップ３１２では、入金に伴う処理が開始されて終了する。カード受け入れ許可に伴う処理が実行されるまでの間、次カード侵入防止突出部２０７を突出させてカード受入禁止処理をおこない、新たなカードの受入処理が入金に伴い連続して発生すると混乱をさける（ステップＳ３１２）。
【０１８８】
一方、カード処理部またはカード位置検知部である挿入検知センサ２１１、リーダライタ位置検知センサー２０４によって、会員用ＩＣカードまたは非会員用ＩＣカードがカード処理部である記憶媒体受入手段２１０に挿入されていないと判定された場合かつ、カード貯留部２２０に貯留された再発行可能な非会員用ＩＣカードがない場合、封入カードである固定式ＩＣカード２０９の使用が判断される（ステップＳ３１３）。ここで、非会員用ＩＣカードがカード処理部である記憶媒体受入手段２１０に挿入されていないと判定された場合とか、カード貯留部２２０に貯留された再発行可能な非会員用ＩＣカードがない場合とかは、カード搬送ベルト２０６によって前後に搬送してもリーダライタ位置検知センサー２０４に検知できない場合である。カード搬送ベルト２０６はカード貯留部２２０に貯留される非会員用ＩＣカードをカード挿入部２０２方向に搬送するとそのカードの端部と当接して摩擦力により搬送可能である。
ステップＳ３１３で、Ｙｅｓと判定した場合は、固定式ＩＣカード２０９に度数が零であるかどうかが判定される（ステップＳ３１４）。ここで固定式ＩＣカード２０９が零と判断された後も、継続して発射玉数であるアウトがカウントされる場合にはＳ３１５に進まないようＮｏと判定するようにしてもよい。このステップＳ３１４では同じ遊技者による遊技が継続していればＮｏと判定し、そうでなければＹｅｓと判定する他の判定も採用できる。
ステップＳ３１４でＹｅｓと判定されたときは、既述のＩＤ付与手段によってＩＤ付与が行われる。そのＩＤは０ｘ１ＱＲＳＹＹＭＭＤＤＴＵＶＷ（既述）となり、固定式ＩＣカード２０９と管理装置３７の両方に記録される。（ステップＳ３１５）。
ステップＳ３１４でＮｏと判定された場合、即ち、まだ残度数のある状態での入金である追加入金の場合、この新ＩＤ付与は行わない。追加入金の場合には、遊技者が変わることがないので追加入金毎に新ＩＤを付与して遊技情報を別集計する必要性がない。
【０１８９】
ステップＳ３１３で、Ｎｏと判定された場合は、挿入されたか貯留部２２０から取り出した非会員用ＩＣカードが存在する場合、残度数なしかまたはブランク状態でＹＥＳと判定される（ステップＳ３１６）。
ステップＳ３１６でＹｅｓと判定されたときは、ステップＳ３１５においてＩＤを０ｘ２ＱＲＳＹＹＭＭＤＤＴＵＶＷ（既述）として、上記同様に新ＩＤの付与を行う。即ち、固定式ＩＣカードに換えて残度数無かブランク状態の非会員用移動式ＩＣカードが処理されることとなる。
ここで挿入されたカードがない場合、カード搬送ベルト２０６をカード挿入部２０２方向へ搬送してカード貯留部２２０からカードを取り出し、アンテナ部２０３ｂによって読み書き可能な位置にセットし、ステップＳ３１５に進む。
ステップＳ３１６でＮｏと判定されたときは、新ＩＤは発行されない。
【０１９０】
そして、制御部は、ＩＤ付与要求信号を固定式ＩＣカードの識別番号（既述の１ＱＲＳ）またはカードより読み取ったＩＤ、及び入金額に応じた度数ともに管理装置に送信する。（ステップＳ３１７）。そこで管理装置３７は、受信した既述の通りＩＤ付与要求信号を固定式ＩＣカードの識別番号またはＩＤ、及び度数とを発行順またはＩＤに含まれる０ｘＴＵＶＷの情報によって特定される所定の記録エリアに記録することになる。そして管理装置３７より受信したＩＤと度数を積算して記録する（ステップＳ３１８）。
次いで、入金処理完了、即ちＳ３１８が終了するまで待機される（ステップＳ３１９）。入金処理の完了は、固定式ＩＣカード２０９、または移動式ＩＣカードに度数が正しく記録されたか確認（ベリファイ）することでなされる。
次いで、入金履歴がクリアされ（ステップＳ３２０）、入金可ランプは点灯され入金が新たに可能とし（ステップＳ３２１）、カード受入許可がされ（ステップＳ３２２）、スタートにリターンする。
【０１９１】
ステップＳ３１０の判定で、Ｎｏの場合には、カード位置検知部である挿入検知センサ２１１、リーダライタ位置検知センサー２０４によって、会員用ＩＣカードまたは非会員用ＩＣカードが挿入されているか否かが判定される（ステップＳ３２３）。
カード位置検知部であるリーダライタ位置検知センサー２０４のカードの検知Ｏｎによってカード搬送ベルト２０６が駆動してカードをリーダライタ部２０３位置に移動する。
【０１９２】
ステップＳ３２３の判定で、Ｎｏの場合には、管理装置３７、島コンピュータ２１に白カード（ブランクカード）挿入無報知の指示をする（ステップＳ３２４）。
次いで、封入カードである固定式ＩＣカード２０９に残度数が有るか否かが判定される（ステップＳ３２５）。
ステップＳ３２５でＮｏと判定された場合は、入金可ランプを点灯し（ステップＳ３２６）、カードの受入許可をし（ステップＳ３２７）、スタートにリターンする。
ステップＳ３２５でＹｅｓと判定した場合は、ステップＳ３３０へ進む。
【０１９３】
ステップＳ３２３でＹｅｓと判定した場合は、カード挿入初回か否かを判定する。（Ｓ３２３１）Ｓ３２３１においてＹｅｓと判定された場合には所定時間ＣＡｒｄと表示部１６の７セグメントＬＥＤにて表示する。（Ｓ３２３２）
次いで、カードは挿入済みなので、次カード進入防止突出部２０７を突出させてカードの受入を禁止してカードの目詰まりを防止する（ステップＳ３２８）。次いで、カードをリーダライタ部２０３へカード搬送ベルト２０６で移送させる（ステップＳ３２９）。具体的には光学挿入検知センサーであるリーダライタ位置検知センサー２０４を、ＯＮ状態からＯＦＦ状態をとらせた瞬間、カード搬送ベルト２０６を停止する。
ついで、ステップＳ３３０で、固定式カード２０９、会員用ＩＣカードまたは非会員用ＩＣカードに記憶されたＩＤをカード処理部で読み取る。カード処理部は、読み取ったＩＤを、制御部に出力し、さらに制御部はそのＩＤを管理装置に送信する。そして、管理装置は、そのＩＤで管理されている度数などを読み取り、読み取った情報をネットワーク３１、島コンピュータ３７を介して制御部へ送信する。ここでリーダライタ部２０３を駆動してリードライトが不良か否かの判定と読み取った度数と管理装置より受信した度数が異なるか否か、が判定される。
【０１９４】
ステップＳ３３０の判定で、Ｎｏの場合には、リードライト以外の不良、搬送不良（挿入検知センサ２１１にてＯＮ状態からＯＦＦ状態となった後カード搬送ベルト２０６を奥部へ搬送したにも係わらず、リーダライタ位置検知センサ２０４がＯＮ状態からＯＦＦ状態とならないなどの有無が判定される（ステップＳ３４８）。
ステップＳ３３０の判定でＹｅｓの判定の場合およびステップＳ３４８でＹｅｓの判定の場合には、制御部はカード処理部に、封入カードである固定式ＩＣカード２０９以外のカードである、会員用ＩＣカードまたは非会員用ＩＣカード、非会員用磁気カードを返却する情報を出力する。その情報を受け取ったカード処理部は、カード挿入口２０２（１２）から会員用ＩＣカードまたは非会員用ＩＣカード、非会員用磁気カード等、封入カードである固定式ＩＣカード２０９以外を返却する（ステップＳ３３１）。
【０１９５】
ステップＳ３３０またはステップＳ３４８の判定で、Ｙｅｓの場合には、続いて制御部は、表示部１６に、リードライトエラーや搬送不良が発生したことを表示させる（ステップＳ３３２）。また、制御部は、島コンピュータ２１、ネットワーク３１を介して管理装置３７に、これらのエラー情報を出力する。管理装置３７は、その搬送不良の情報に基づいて、景品管理機（ＰＯＳ）３４などに搬送不良が発生に基づく情報を出力し、エラー発生中、状態表示ランプ１７にエラー発生中を示す赤点滅表示させる（ステップＳ３３３）。また、ブザー、場内放送などでエラーが発生したことを報知することも可能である。ついで、入金可ランプは消灯され、入金禁止処理がされ（ステップＳ３３４）、カード受入禁止処理がなされる（ステップＳ３４５）。
ここで、カード搬送不良の原因となるカードが取り除かれるなどエラーが解除されるまで待機したのち（ステップＳ３４６）、エラー履歴がクリアされ（ステップＳ３４７）、ステップＳ３２１へ進む。
【０１９６】
ステップＳ３４８の判定で、Ｎｏの場合には、状態表示ランプ１７に正常動作中を示す緑点灯表示させる（ステップＳ３４９）。
次いで、表示部１６に入金可点灯させ、入金を許可させる（ステップＳ３５０）。
【０１９７】
Ｓ３５３に次いで、またはステップＳ３５１でＮｏと判定した場合、貸玉ボタン１３にＯＮ状態を取らせた履歴があるか否かが判定される（ステップＳ３５４）。
ステップＳ３５４の判定で、Ｙｅｓと判定された場合は、制御部は貸玉ボタン１３にＯＮ状態を取らせた履歴はクリアされ、代わりにＳ３８２１に用いるべく貸玉ボタンＯＮの際のキャンセル操作履歴をＯＮとする（ステップＳ３５５）。ついで、入金可ランプを消灯させ、入金を不可とする（ステップＳ３５６）。
【０１９８】
ついで、再プレーＦＬＧが１であるか０であるかが制御部で判定される（ステップＳ３５７）。再プレーＦＬＧは、再プレー受付機３５で受け付けると１となる管理装置内記録値を制御部が受信したものである。
【０１９９】
管理装置３７は、ＩＤに基づいて管理されている再プレーＦＬＧの値を制御部に出力する。
制御部では、管理装置３７からの再プレーＦＬＧの値を判定する（ステップＳ３５７）。再プレー受付機３５で受付されたときには、管理装置３７内の記録値である再プレーＦＬＧが１となり、受付されていないときには、再プレーＦＬＧが０となっている。
【０２００】
ステップＳ３５７の判定において、再プレーＦＬＧが１であることが制御部によって判定された場合、制御部は、表示部１６に度数表示をさせる（ステップＳ３５８）。更に台間機が、ユニット１１ａの場合は、遊技機に再プレー可能度数を送信する。
次いで、制御部は、再プレー用貸玉要求信号をパチンコ機の制御部に出力する。パチンコ機の制御部は、パチンコ機から所定数のパチンコ玉の貸し出しを行わせる。また、制御部は、再プレー用貸玉要求信号に相当する玉数の情報を管理装置３７に出力する。そして、管理装置３７では、再プレー用貯玉数から再プレー用貸玉要求信号に相当する玉数が減算され、減算後の再プレー用貯玉数がＩＤ毎に書き込まれる。
すなわち、制御部は、貸玉とその分の再プレー可能貯玉減少と貸玉、貯玉情報を管理装置３７に送信、出力しＩＤ毎に記録する（ステップＳ３５９）。そして、再プレーＬＥＤを点灯させる（ステップＳ３６０）。
次いで、貸玉が完了されるまで待機される（ステップＳ３６１）。
【０２０１】
一方、ステップＳ３５７の判定において、再プレーＦＬＧが０であることが制御部によって判定された場合、制御部は、表示部１６に度数表示をさせる（ステップＳ３６２）。更に台間機が、ユニット１１ａの場合は、遊技機に度数を送信する。
次いで、制御部は、再プレー用貸玉要求信号をパチンコ機の制御部に出力する。パチンコ機の制御部は、パチンコ機から所定数のパチンコ玉の貸し出しを行わせる。また、制御部は、貸玉要求信号に相当する玉数の情報を管理装置３７に出力する。
すなわち、制御部は、貸玉とその分の度数減と貸玉、度数情報を管理装置３７に送信、出力しＩＤ毎に記録する（ステップＳ３６３）。１００円分（２５玉）づつ５回、都合５００円分を出力する。５回をチェンジ可能としてもよい。
次いで、貸玉に応じてＩＤに紐付いてポイントを付与する（ステップ３６４）。
次いで、貸玉が完了されるまで待機される（ステップＳ３６１）。
【０２０２】
貸玉が完了されると、入金可ランプが表示部１６に点灯され、入金が許可され、貸玉後度数が表示される（ステップＳ３６５）。
続いて、制御部は、管理装置３７から再プレー用貯玉数の情報を受信し、通信によって得た再プレー用貯玉数が０か否かを判定する（ステップＳ３６６）。ステップＳ３６６の判定において、Ｙｅｓの場合には、制御部は、再プレーＦＬＧの数値を０に書き換える情報を管理装置３７に出力する（ステップＳ３６７）。そして、管理装置３７では、ＩＤに基づいて再プレーＦＬＧの数値を０に書き換える（ステップＳ３６７）。
【０２０３】
ステップＳ３６６の判定において、Ｎｏの場合には、選択ボタン検知部で、返却ボタン１５を選択することに基づく返却要求信号が入力された履歴の有無が判定される（ステップＳ３６８）。
【０２０４】
ステップＳ３６８の判定において、Ｎｏ（履歴無）の場合には、選択ボタン検知部は、その情報を制御部に出力する。
次いで、キャンセル操作履歴がクリアされる（Ｓ３６８１）。後程詳述するキャンセル操作とは、非会員用ＩＣカードがカード処理装置２００になく固定式カード２０９を用いて度数を読み書きする場合に、返却ボタン１５が押されて非会員用ＩＣカードの補充要求として表示部１６の７セグメントＬＥＤに「ＣＡｒｄ」と表示し、更に再度返却ボタン１５が押されるか、貸玉ボタン１３が押された場合、その「ＣＡｒｄ」表示を取りやめるキャンセル操作を指す。その履歴をクリアすることで、再び返却ボタンが押された場合に、上記の如く「ＣＡｒｄ」と表示することができる。
次いで、固定式カード２０９に残度数を有するか否かを判定する（Ｓ３６８２）。Ｓ３６８２の判定でＮｏの場合には、Ｓ３７０へ進み、Ｙｅｓの場合には会員カードが記憶媒体受入手段２１０に存在するか否かを判定する（Ｓ３６８３）。
Ｓ３６８３の判定でＹｅｓの場合には、Ｓ３６８５へ進み、固定式ＩＣカード２０９の残度数の持ち主と会員用ＩＣカードの持ち主とは異なるので、そのまま何も書き込まないで排出し、その会員用ＩＣカードを挿入検知センサー２１１が感知しなくなるまで待機する。（Ｓ３６８５）
次いで、Ｓ３２８にてカードの挿入ができないよう次カード侵入防止突出部２０７が突出しているのでこれを解除して次カードの受入許可を行い、固定式カード２０９の残度数をブランク状態または残度数零の白カードに移すべく、当該白カードの挿入を待つ。（Ｓ３６８６）
Ｓ３６８３の判定で会員用ＩＣカードの存在が確認されないＮｏの場合には、非会員用ＩＣカードの存在を確認する（Ｓ３６８４）。
Ｓ３６８４の判定で非会員用ＩＣカードの存在が確認されないＮｏの場合には、そのまま固定式ＩＣカード２０９を用いての遊技を続けるべくＳ３７０へ進む。
Ｓ３６８４の判定で非会員用ＩＣカードの存在が確認されるＹｅｓの場合にはＳ３６８７へ進み、その非会員用ＩＣカードが白カード（度数が零か、ブランク状態のカードを指す）か否かを判定する（Ｓ３６８７）。
Ｓ３６８７の判定でＮｏと判定された場合には、残度数のある固定式ＩＣカード２０９と残度数のある非会員用ＩＣカードの持ち主が異なると見なして非会員用ＩＣカードを外部排出し、その非会員用ＩＣカードを挿入検知センサー２１１が感知しなくなるまで待機する。（Ｓ３６８８）
次いで、Ｓ３２８にてカードの挿入ができないよう次カード侵入防止突出部２０７が突出しているのでこれを解除して次カードの受入許可を行い、固定式カード２０９の残度数をブランク状態または残度数零の白カードに移すべく、当該白カードの挿入を待つ。（Ｓ３６８９）
Ｓ３６８７の判定でＹｅｓと判定された場合には、ステップＳ３６８７１で、白カード（ブランクカード）の挿入が初回であるか否かが判定される。
Ｓ３６８７１にてＹｅｓと判定された場合には、管理装置３７に対し、封入カードである固定式ＩＣカード２０９使用時のＩＤに含まれた、カード識別符号を封入カードである固定式ＩＣカード２０９（既述の０ｘ１ＱＲＳ）から非会員カード（既述の０ｘ２ＱＲＳ）に変更させるべく、ＩＤと変更信号を送信する。（ステップＳ３６８７２）。
次いで、各カードに対し、管理装置３７より受信した、カード識別符号を封入カードである固定式ＩＣカード２０９から非会員カードに変更したＩＤ（０ｘ１ＱＲＳＹＹＭＭＤＤＴＵＶＷ→０ｘ２ＱＲＳＹＹＭＭＤＤＴＵＶＷ）を記録する（ステップＳ３６８７３）。
Ｓ３６８７１にてＮｏと判例された場合にはもう既に上記Ｓ３６８７２とＳ３６８７３を実行しているのでＳ３７０へ進む。
Ｓ３７９においては、記憶媒体受入手段２１０に会員用ＩＣカードが挿入されているか否かを判定する（ステップＳ３７０）。
【０２０５】
ステップＳ３７０の判定において、Ｙｅｓの場合には、カード処理部またはカード位置検知部は、その情報を制御部に出力する。そして、制御部は、カード種別表示５２に青色を点灯させ（ステップＳ３７１）、スタートにリターンする。
【０２０６】
一方、ステップＳ３７０の判定において、Ｎｏの場合には、カード処理部またはカード位置検知部は、その情報を制御部に出力する。
【０２０７】
続いて、記憶媒体受入手段２１０に、非会員用ＩＣカードまたは、非会員用磁気カードが挿入されているか否かを判定する（ステップＳ３７２）。
【０２０８】
ステップＳ３７２の判定において、Ｙｅｓの場合には、カード処理部またはカード位置検知部は、その情報を制御部に出力する。そして、制御部は、カード種別表示５２に赤色を点灯させ（ステップＳ３７３）、スタートにリターンする。
【０２０９】
一方、ステップＳ３７２の判定において、Ｎｏの場合には、カード処理部またはカード位置検知部は、その情報を制御部に出力する。
続いて、カード処理部またはカード位置検知部に、固定式カードである固定式ＩＣカード２０９に残度数が有るか否かの判定をする（ステップＳ３７４）。
【０２１０】
ステップＳ３７４の判定において、Ｙｅｓの場合には、カード処理部またはカード位置検知部は、その情報を制御部に出力する。そして、制御部は、カード種別表示５２に緑色を点灯させる（ステップＳ３７５）。
ステップＳ３７４の判定において、Ｎｏの場合には、ランプであるカード種別表示５２を消灯して（ステップＳ３７６）、リターンしてスタートに戻る。
【０２１１】
ステップＳ３６８の判定において、Ｎｏの場合すなわち返却ボタンのＯＮ履歴が有る場合は、記憶媒体受入手段２１０に会員用ＩＣカードの有るか否かの判定がなされる（ステップＳ３７８）。
【０２１２】
ステップＳ３７８で会員用ＩＣカードなしの判定がなされた場合は、Ｓ３８０へ進む。記憶媒体受入手段２１０に非会員用カードがあるか否かを判定する（ステップＳ３８０）。
ステップＳ３８０の判定でＮｏの場合には、封入式カードである固定式ＩＣカード２０９の残度数の有無が判定される（ステップＳ３８１）。
ステップＳ３８１で判定がＹｅｓの場合は、移動式ＩＣカードの受入を感知しない場合から待機後非会員用移動式ＩＣカードの受入を感知する場合であって固定式ＩＣカードに残度数がある場合にｆｌｇをＯｎ（”１”）とする。（Ｓ３８１１）
次いで、表示部１６の現在の表示が判定される（ステップＳ３８２）。ステップＳ３８２の判定が、現在の表示部１６の７セグメントＬＥＤが「ＣＡｒｄ」表示の場合は度数表示に変更し（ステップＳ３８３）、Ｓ３２８にてカードの挿入ができないよう次カード侵入防止突出部２０７が突出しているのでこれを解除して次カードの受入許可を行い（Ｓ３８０５）、ステップＳ３７０に進む。
ステップＳ３８２で判定が、現在の表示部１６の７セグメントＬＥＤが度数表示の場合は「ＣＡｒｄ」表示に変更し（ステップ３８４）、上記同様ステップＳ３８０５を実行後、ステップＳ３７０に進む。
ここでステップＳ３８２は別態様としてＳ３８２１のようにキャンセル操作の履歴の有無を判定するようにしてもよい（ステップＳ３８２１）。キャンセル操作の履歴有としては、返却ボタン１５を２、４、６、・・・２Ｎ回のように偶数回押した場合、貸玉ボタンを押したときに実行されるＳ３５５にてキャンセル操作ＯＮとされた場合、その他のキャンセルボタンを設けてＯＮとされた場合等、様々な態様が考えられる。キャンセル操作履歴有の場合には、Ｓ３８３の表示部１６には度数表示が実行される。
【０２１３】
ステップＳ３８１で判定がＹｅｓの場合、即ち、残度数の有する固定式ＩＣカードで遊技終了するべく返却ボタンが押され、その残度数を非会員用移動式ＩＣカードに移動すべくその非会員用ＩＣカードの挿入を待機している状態において、遊技者が貸玉ボタンを押して残度数を使ってしまった場合、残度数移動の目的がなくなってしまったので、ｆｌｇをＯＦＦ（”０”）とし（Ｓ３８１２）、返却ボタンＯＮの履歴をクリアする（Ｓ３８０３）。
次いで度数や「Ｃａｒｄ」と表示された７セグメントＬＥＤを非点灯とし（Ｓ３８０４）、上記同様ステップＳ３８０５を実行後、ステップＳ３７０へ進む。
ステップＳ３７８で会員用ＩＣカード有りの判定がなされたときは、ステップＳ３７９へ進み、会員カードが外部排出され、その会員用ＩＣカードを挿入検知センサー２１１が感知しなくなるまで待機する。（Ｓ３７９）
次いで、ｆｌｇの判定がなされ（Ｓ３７９１）、ｆｌｇがＯｎの場合には残度数の有する固定式ＩＣカードで遊技終了するべく返却ボタンが押され、その残度数を非会員用移動式ＩＣカードに移動すべくその非会員用ＩＣカードの挿入を待機している状態が継続しているので上記したＳ３８０３、Ｓ３８０４を実行しないでＳ３８０５へ進む。
Ｓ３７９１においてｆｌｇがＯＦＦの場合にはもともと残度数の有する固定式ＩＣカードで遊技終了するべく返却ボタンが押され、その残度数を非会員用移動式ＩＣカードに移動すべくその非会員用ＩＣカードの挿入を待機している状態ではないので、挿入されていた会員用ＩＣカードを返却し、その要求元である返却ボタンＯＮ履歴をクリアし（Ｓ３８０３）、表示部７セグメントＬＥＤを非点灯とし、上記したＳ３８０５へ進む。
ステップＳ３８０の判定でＹｅｓの場合には、ｆｌｇの設定を判定する（Ｓ３８０１）。
Ｓ３８０１においてｆｌｇがＯＦＦの場合には、もともと残度数の有する固定式ＩＣカードで遊技終了するべく返却ボタンが押され、その残度数を非会員用移動式ＩＣカードに移動すべくその非会員用ＩＣカードの挿入を待機している状態ではないので、非会員用ＩＣカードの残度数が零でなく、ブランク状態でもないか否かを判定し（Ｓ３８０２）、Ｙｅｓの場合は、残度数付の非会員用ＩＣカードを外部へ排出し、その非会員用ＩＣカードを挿入検知センサー２１１が感知しなくなるまで待機する（Ｓ３８５）。
Ｓ３８０２の判定がＮｏの場合は、会員が自分の会員用ＩＣカードを挿入したくて返却ボタンを押したのであるとして、記憶媒体受入部２１０に存する非会員ＩＣカードを貯留部２２０へ再発行可能に収容する。ここで、貯留部２２０が満杯の場合は満杯排出孔２１５より自然に落下されて下方に載置された回収部１８へ移る際、回収検知センサー２０５がその落下する非会員用ＩＣカードをカウントする（Ｓ３８６）。
従って上記した如く、会員カードは返却ボタンＯＮにより無条件に外部に排出する。非会員ＩＣカードは残度数がある場合には返却ボタンＯＮにより外部に排出し、精算機３３にて残度数を現金として払い出すようにする。そしてＩＣカードは残度数がないかブランクカードの場合、返却ボタンＯＮで貯留部２２０へ収容し、会員が会員用ＩＣカードを挿入可能にする。
そして以下に固定式ＩＣカードで残度数が零でない状態で返却ボタンが押されて固定式ＩＣカードの残度数を非会員用ＩＣカードに移したいと待機後、非会員用ＩＣカードを新たに受け入れた場合（Ｓ３８０１のｆｌｇがＯＮの場合）を説明する。
即ち、Ｓ３８０１においてｆｌｇがＯｎの場合には、Ｓ３８０１１へ進み、再び封入式ＩＣカードである固定式ＩＣカード２０９が残度数があるか否かを確認する（Ｓ３８０１１）。ｆｌｇがＯＮ状態ではＳ３８１の判定によれば２０９に残度数あり、であるが、その後貸玉ボタン１３が押され残度数零となる場合Ｎｏが存在するのでＳ３８０１１を設ける。
Ｓ３８０１１においてＮＯと判定される残度数零の場合には、受け入れた非会員用ＩＣカードは貯留部２２０への移送も、外部への排出も行わず、次の入金を受けて度数付与する先がこの非会員用ＩＣカードであるとしたいのでそのまま待機させる。
即ち、次カードを受入不可とし（Ｓ３８０１２５）、次いでＳ３８０１２６へ進み、管理装置３７に対し、封入カードである固定式ＩＣカード２０９使用時のＩＤに含まれた、カード識別符号を封入カードである固定式ＩＣカード２０９（既述の０ｘ１ＱＲＳ）から非会員カード（既述の０ｘ２ＱＲＳ）に変更させるべく、ＩＤと変更信号を送信する。（ステップＳ３８０１２６）。
次いで、各カードに対し、管理装置３７より受信した、カード識別符号を封入カードである固定式ＩＣカード２０９から非会員カードに変更したＩＤ（０ｘ１ＱＲＳＹＹＭＭＤＤＴＵＶＷ→０ｘ２ＱＲＳＹＹＭＭＤＤＴＵＶＷ）を記録する（ステップＳ３８０１２７）。
次いで、７セグメントＬＥＤを非点灯とし（Ｓ３８０１２８）、返却ボタンＯＮの履歴をクリアし（Ｓ３８０１２９）、ｆｌｇをＯＦＦとし（Ｓ３８０１３０）、固定式ＩＣカードで残度数を移動式ＩＣカードに移すという遊技者の要求状態を解除する。
Ｓ３８０１１においてＹｅｓと判定される固定式ＩＣカードで残度数を移動式ＩＣカードに移す要求が、残度数が０でないが故継続する場合、新たに記憶媒体受入手段２１０が受け入れた非会員用ＩＣカードがブランク状態でなくかつ残度数を有する否かを判別する（Ｓ３８０１２）。
Ｓ３８０１２においてＹｅｓと判定された場合、残度数のある非会員用ＩＣカードに固定式ＩＣカード２０９の残度数を移すことはできないので何もしないで外部に排出し、その非会員用ＩＣカードを挿入検知センサー２１１が感知しなくなるまで待機する（Ｓ３８０１３）。
次いで、Ｓ３２８にてカードの挿入ができないよう次カード侵入防止突出部２０７が突出しているのでこれを解除して次カードの受入許可を行い、固定式カード２０９の残度数をブランク状態または残度数零の白カードに移すべく、当該白カードの挿入を待つ（Ｓ３８０１４）。その後はＳ３７０へ進む。
管理装置３７に対し、封入カードである固定式ＩＣカード２０９使用時のＩＤに含まれた、カード識別符号を封入カードである固定式ＩＣカード２０９（既述の０ｘ１ＱＲＳ）から非会員カード（既述の０ｘ２ＱＲＳ）に変更させるべく、ＩＤと変更信号を送信する。（ステップＳ３８０１２１）。
次いで、各カードに対し、管理装置３７より受信した、カード識別符号を封入カードである固定式ＩＣカード２０９から非会員カードに変更したＩＤ（０ｘ１ＱＲＳＹＹＭＭＤＤＴＵＶＷ→０ｘ２ＱＲＳＹＹＭＭＤＤＴＵＶＷ）を記録する（ステップＳ３８０１２２）。
そして、非会員用ＩＣカードに残度数が移せたので外部に排出し、その非会員用ＩＣカードを挿入検知センサー２１１が感知しなくなるまで待機する（Ｓ３８０１２３）。
次いで、Ｓ３２８にてカードの挿入ができないよう次カード侵入防止突出部２０７が突出しているのでこれを解除して次カードの受入許可を行う（Ｓ３８０１２４）。
次いで、７セグメントＬＥＤを非点灯とし（Ｓ３８０１２８）、返却ボタンＯＮの履歴をクリアし（Ｓ３８０１２９）、ｆｌｇをＯＦＦとし（Ｓ３８０１３０）、固定式ＩＣカードで残度数を移動式ＩＣカードに移すという遊技者の要求状態を解除する。その後ステップＳ３７０へ進む。
発行操作手段（ステップ）として、
返却ボタンが押されると、下記のＡ〜Ｃを選択的に実行し、
Ａ）記憶媒体受入手段２１０が会員用ＩＣカードの受入を感知する場合（Ｓ３７８がＹＥＳ）、遊技者が受け取り可能に外部へ排出して（Ｓ３７９）、次の会員用又は非会員用ＩＣカードを受入可能な待機状態とし（Ｓ３８０５）、
Ｂ）記憶媒体受入手段２１０が非会員用ＩＣカードの受入を感知する場合（Ｓ３８０がＹＥＳ）に下記Ｂ１又はＢ２を選択的に実行し、
Ｂ１）非会員用ＩＣカードに記録された有価価値特定情報によって特定される有価価値が零の場合には（Ｓ３８０２がＮＯ）、非会員用ＩＣカードを遊技者が受け取りできないように回収して（Ｓ３８６）次の会員用又は非会員用ＩＣカードを受入可能な待機状態とし（Ｓ３８０５）、
Ｂ２）非会員用ＩＣカードに記録された有価価値特定情報によって特定される有価価値が零でない場合（Ｓ３８０３がＹＥＳ）には、遊技者が受け取り可能に外部に排出して（Ｓ３８５）次の会員用又は非会員用ＩＣカードを受入可能な待機状態とし（Ｓ３８０５）、
Ｃ）記憶媒体受入手段２１０が移動式ＩＣカードの受入を感知しない場合から待機後非会員用ＩＣカードの受入を感知する場合（Ｓ３８０１のｆｌｇがＯＮ）に下記Ｃ１又はＣ２を選択的に実行し、
Ｃ１）固定式ＩＣカードから読み出した有価価値特定情報によって特定される有価価値が零の場合（Ｓ３８０１１がＮＯ）は、非会員用ＩＣカードを受け入れて待機し（待機するので次カード受け入れは禁止Ｓ３８０１２５）、
Ｃ２）固定式ＩＣカードから読み出した有価価値特定情報によって特定される有価価値が零でない場合（Ｓ３８０１１がＹＥＳ）に下記Ｃ２１又はＣ２２を選択的に実行し、
Ｃ２１）受け入れた非会員用移動式ＩＣカードから読み出した有価価値特定情報によって特定される有価価値が零またはブランク状態の場合（Ｓ３８０１２がＮＯ）、固定式ＩＣカードに記録された有価価値特定情報によって特定される有価価値を特定可能な第２の有価価値特定情報を非会員用ＩＣカードに記録して（Ｓ３８０１２２）遊技者が受け取り可能に外部に排出し（Ｓ３８０１２３）、次の会員用又は非会員用移動式記憶媒体を受入可能な待機状態とし（Ｓ３８０１２４）、
Ｃ２２）受け入れた非会員用ＩＣカードから読み出した有価価値特定情報によって特定される有価価値が零でない場合（Ｓ３８０１２がＹＥＳ）、非会員用ＩＣカードを遊技者が受け取り可能に外部へ排出し（Ｓ３８０１３）、読み出す有価価値特定情報によって特定される有価価値が零またはブランク状態の非会員用ＩＣカードを受入可能な待機状態とする（Ｓ３８０１４）ものである。
【０２１４】
（計数機３２）
計数機３２の構成について説明する。
計数機３２は、カード挿入口、遊技媒体投入部、全部ボタン、計数結果表示部、返却ボタン、レシート発券口から構成される。
【０２１５】
計数機３２は、パチンコ玉またはメダルの数量を計数するものである。会員用ＩＣカードのみを受け入れるカード挿入口に会員用ＩＣカードが挿入された場合には、会員用ＩＣカードに記憶されたＩＤを読み取り、計数された計数値が貯玉数としてそのＩＤに基づき管理装置３７に記憶される。また、計数機３２では、会員用ＩＣカードの利用によって付与されるポイントを、例えば、玉数として還元し、計数機３２によって計数された玉数にその還元された玉数を加算することもできる。
【０２１６】
一方、会員用ＩＣカードがカード挿入口に挿入されない場合には、計数された情報を、例えば、バーコードとしてレシートに記録し、そのレシートがレシート発券口から発行される。また、このレシートには、簡易管理用ＩＤが記録され、その簡易管理用ＩＤは、そのレシートを用いて景品交換されるまで、管理装置３７で計数機３２で計数された玉数とともに管理される。
【０２１７】
計数機３２は、さらに制御部、カード処理部、記憶媒体処理部、選択ボタン検知部、計数処理部から構成されている。
【０２１８】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、カード処理部、記憶媒体処理部、選択ボタン検知部、計数処理部の各機部間の信号の出入力、および、ネットワーク３１を介して管理装置３７との間の信号の出入力を制御している。
【０２１９】
カード処理部は、カード挿入口から挿入された会員用ＩＣカードに記憶された、例えば、ＩＤやそのＩＤで管理されている有価情報などの読み取り、その読み取った情報の制御部への出力、制御部からの更新された有価情報などの会員用ＩＣカードへの書き込みなどを行うもので、例えば、リーダライタなどで構成される。
【０２２０】
記憶媒体処理部は、計数処理部で計数された玉数および簡易管理用ＩＤをレシートに、例えば、バーコードとして記録し、その記録されたレシートをレシート発券口から発券する。
選択ボタン検知部は、全部ボタン、返却ボタンが押されたことを検知し、その押された信号に基づいて、制御部に信号を出力するものである。
計数処理部は、遊技媒体投入部に投入された玉数を計数し、その計数した情報を制御部へ出力するものである。計数処理部で計数された結果は、例えば、計数結果表示部９ｄに表示することもできる。
そして、制御部によって制御される、カード処理部、記憶媒体処理部、選択ボタン検知部、計数処理部の各機器部は、動作の流れを図示する図１２に図示されるように動作する。
【０２２１】
以下に、図１２を参照してその動作を説明する。
計数処理部において、遊技媒体投入部に投入された遊技媒体の計数を行う（ステップＳ４１０）。計数処理部で計数された結果は、制御部に出力される。制御部は、その計数結果を、例えば、計数結果表示部に表示するための情報を計数結果表示部に出力することもできる。
【０２２２】
そして、全部ボタンが押されたか否かを選択ボタン検知部が判定する（ステップＳ４１１）。
ステップＳ４１１の判定で、Ｎｏの場合には、リターンしスタートに戻る。
ステップＳ４１１の判定で、Ｙｅｓの場合すなわちボタンＯＮの場合には、その情報を制御部に出力する。
【０２２３】
続いて、カード処理部において会員用ＩＣカードが挿入されているか否かが判定される（ステップＳ４１２）。
【０２２４】
ステップＳ４１２の判定で、Ｎｏの場合には、制御部は、計数処理部で計数された玉数および簡易管理用ＩＤの情報をネットワーク３１を介して管理装置３７に出力するとともに、記憶媒体処理部に制御部から計数処理部で計数された玉数および簡易管理用ＩＤの情報が出力される。「会員カードか非会員用小カードを入れてください。」との表示をさせる（ステップＳ４１３）。ステップＳ４１５に進む。
【０２２５】
ステップＳ４１２の判定で、Ｙｅｓの場合には、カード処理部は、会員用ＩＣカードに記憶されたカードに紐付いて振られたＩＤを読み取り、読み取ったＩＤを制御部に出力する（ステップＳ４１４）。
【０２２６】
次に、返却ボタンが押されたが否かを選択ボタン検知部が判定する（ステップＳ４１５）。
【０２２７】
ステップＳ４１５の判定で、Ｎｏの場合には、リターンしスタートに戻る。
ステップＳ４１５の判定で、Ｙｅｓの場合には、カード処理部は、カード挿入口から会員用ＩＣカードを返却する。あるいは、記憶媒体処理部では、制御部から出力された情報に基づいて、レシートに玉数および簡易管理用ＩＤを、例えば、バーコードとして記録し、レシート発券口からレシートを発券する（ステップＳ４１６）。
制御部は、カード処理部で読み取られたＩＤおよび計数処理部で計数された玉数をネットワーク３１を介して管理装置３７に送信する（ステップＳ４１７）。そして、管理装置では、カードの識別符号毎に紐付けられて振られたＩＤに基づいて、すでに記憶されている貯玉数に計数処理部で計数された玉数が加算される（ステップＳ４１７）。
【０２２８】
なお、ステップＳ４１７で、加算後の貯玉数を表示させるようにすると、遊技客に全貯玉数がトータルいくらになったのかが把握できるので好ましい。また、計数機３２は、パチンコ玉用と、スロットマシンで用いられるメダル用とがある。
【０２２９】
（景品管理機（ＰＯＳ）３４）
図１６は、景品管理機（ＰＯＳ）３４における動作の流れを示す図である。
【０２３０】
景品管理機（ＰＯＳ）３４の構成について説明する
景品管理機（ＰＯＳ）には、図示しないカード挿入口、暗証番号入力用テンキーボード、バーコードリーダ、表示部、特殊景品ボタン、一般景品選択部からなる。
【０２３１】
景品管理機（ＰＯＳ）３４は、カード挿入口より挿入された会員用ＩＣカードより、ＩＤに基づき貯玉数を参照し、貯玉数とその貯玉数により交換される景品種別と数量の表示を行い、景品払出機３８が併設される場合、景品払出機３８へ払い出す景品の種別と数量を指示するものである。また、計数機３２で発券されたレシートを用いる場合には、バーコードリーダでレシートに記録された情報を読み取り、その情報に基づく貯玉数の範囲で貯玉数と景品との交換を行うものである。
【０２３２】
特殊景品ボタンが押された場合の景品は、例えば、大景品（２５００円）、小景品（１０００円）などがあり、貯玉数より端玉（景品と交換後の残り玉）を最小にするよう計算されて、例えば、景品払出機３８が併設されている場合には、景品が自動的に払い出される。景品払出機３８が併設されていない場合には、表示された交換される景品の種別と数量の表示に基づいて、店員などによって景品が払い出される。また、例えば、タバコ、ジュースなどの一般景品と交換する場合には、一般景品選択部により、交換したい景品や個数を選択し、景品交換を行う。一般景品と交換する場合には、店員などが景品を払い出すことが多いが、景品払出機などで自動的に景品を払い出すこともできる。
【０２３３】
また、景品管理機（ＰＯＳ）３４では、会員用ＩＣカードの利用によって付与されるポイントと、例えば、タバコ、ジュースなどの賞品と交換することができるようにしてもよい。
【０２３４】
景品管理機（ＰＯＳ）３４は、制御部、カード処理部、記憶媒体処理部、選択ボタン検知部、景品払出処理部から構成されている。
【０２３５】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、カード処理部、記憶媒体処理部、選択ボタン検知部、景品払出処理部の各機部間の信号の出入力、および、ネットワーク３１を介して管理装置３７との間の信号の出入力を制御している。
【０２３６】
カード処理部は、カード挿入口から挿入された会員用ＩＣカードに記憶された、例えば、カード毎に振られた識別符号に紐付いたＩＤやそのＩＤで管理されている有価情報などの読み取り、その読み取った情報の制御部への出力、制御部から更新された有価情報などの会員用ＩＣカードへの書き込みなどを行うもので、例えば、リーダライタなどで構成される。
【０２３７】
記憶媒体処理部は、バーコードリーダなどによって、レシートに記録された玉数および簡易管理用ＩＤを読み取り、その読み取った情報を制御部に出力するものである。
【０２３８】
カード処理部や記憶媒体処理部で読み取られた、例えば、計数された玉数などの情報は、表示部に表示される。また、表示部には、景品交換される景品の種類や個数なども表示させる。
【０２３９】
選択ボタン検知部は、暗証番号入力用テンキーボード、特殊景品ボタン、一般景品選択部の選択ボタンが押されたことを検知し、その押された信号に基づいて、制御部に信号を出力するものである。
【０２４０】
景品払出処理部は、選択ボタン検知部で検知された信号に基づいて、例えば、表示部や景品払出機に払い出される特殊景品の種類や個数などの景品払出情報を出力するものである。
【０２４１】
そして、制御部によって制御される、カード処理部、記憶媒体処理部、選択ボタン検知部、景品払出処理部の各機器部は、次のように動作する（図１６）。
【０２４２】
以下、図１６を参照してその動作を説明する。
カード処理部において会員用移動式ＩＣカードが挿入されているか否か、そのカードがブランクカードか否かが判定される（ステップＳ５１０）。
【０２４３】
店員が新たな会員カードを作成するためにカード挿入口よりブランクカードを挿入する。そこでステップＳ５１０においては挿入されたブランクカードと判定された場合には、ステップＳ５２７のＩＤ付与ステップを実行する。Ｓ５２７においては、景品管理機（ＰＯＳ）３４はＩＤ付与要求信号を会員用移動式ＩＣカードの識別番号（台番号識別可能な３ＱＲＳ：ＱＲＳは実際に使っていない遊技台の番号を景品管理機（ＰＯＳ）３４の番号として割り当てる。）とともにネットワーク３１を介して管理装置に送信する。管理装置３７ではＩＤ付与要求信号を受けると、ＩＤ付与順の通し番号（ＴＵＶＷ）でＩＤ番号（既述の３ＱＲＳＹＹＭＭＤＤＴＵＶＷ）を発行し、ＩＤ番号で指定できる記録エリアに移動式ＩＣカードの識別番号を含んだＩＤ番号を記録し、ＩＤ番号を景品管理機（ＰＯＳ）３４へ送信する。そして景品管理機（ＰＯＳ）３４はＩＤ番号を受信するとこのＩＤ番号を会員用移動式ＩＣカードに記録する。（ステップＳ５２７）。
【０２４４】
ステップＳ５１０の判定で、Ｎｏの場合には、レシートの挿入が判断される（ステップＳ５１０１）。Ｎｏの場合はリターンし、Ｙｅｓの場合は、バーコードリーダによって、レシートに記録された玉数および簡易管理用ＩＤを読み取る（ステップＳ５１１）。
カード処理部において読み取られた簡易管理用ＩＤは、制御部に出力され、さらに、制御部からネットワーク３１を介して管理装置３７に出力される（ステップＳ５１１）。そして、管理装置３７に記憶されている簡易管理用ＩＤに基づく玉数を管理装置からネットワーク３１を介して制御部に出力する（ステップＳ５１１）。
【０２４５】
ステップＳ５１０の判定で、Ｙｅｓの場合には、カード処理部は、会員用ＩＣカードに記憶されたＩＤおよび暗証番号を読み取り、読み取ったＩＤおよび暗証番号を制御部に出力する（ステップＳ５１２）。
【０２４６】
また、選択ボタン検知部は、暗証番号入力用テンキーボードで入力された暗証番号を検知し、その検知信号を制御部に出力する（ステップＳ５１３）。制御部は、会員用ＩＣカードから読み取られた暗証番号と暗証番号入力用テンキーボードで入力された暗証番号とを比較判定する（ステップＳ５１４）。
【０２４７】
ステップＳ５１４の判定で、双方の番号が一致しない場合（ＮＧの場合）には、カード処理部は、会員用ＩＣカードをカード挿入口から返却する（ステップＳ５１５）。ただし、ここで、会員用ＩＣカードを返却せずに、店員に暗証番号が一致しない旨を報知し、店員がその会員用ＩＣカードを利用した遊技者に、例えば、生年月日や電話番号などを質問し、遊技者による回答が、実際に登録されているものと一致すれば、忘れた暗証番号の変更手続きを取れるようにしてもよい。
【０２４８】
一方、ステップＳ５１４の判定で、双方の番号が一致した場合（ＯＫの場合）には、制御部は、ステップＳ５１２で読み取られたＩＤをネットワーク３１を介して管理装置３７に送信する（ステップＳ５１６）。そして、管理装置３７は、そのＩＤで管理されている貯玉数などを読み取る。
【０２４９】
次に、特殊景品ボタンが押されたが否かを選択ボタン検知部が判定する（ステップＳ５１６）。
【０２５０】
ステップＳ５１６の判定で、Ｎｏの場合には、景品交換が要求されているものが、一般景品の例えば、タバコやジュースなどであり、一般景品選択部で選択された景品および数量の情報を選択ボタン検知部が判定する（ステップＳ５１７）。
選択ボタン検知部で判定された検知信号は、制御部を介して景品払出処理部に出力される。選択された一般景品は、その種別と数量が表示部に表示される（ステップＳ５１８）。
そして、制御部において、払出景品在庫数から払い出された景品の数量を差し引き、その情報を景品払出処理部に出力し、景品払出処理部では払出景品在庫数の情報を更新する（ステップＳ５１９）。
【０２５１】
ステップＳ５１６の判定で、Ｙｅｓの場合には、景品払出処理部において、景品払出機３８が併設されているか否かが判定される（ステップＳ５２０）。
【０２５２】
ステップＳ５２０の判定で、Ｙｅｓの場合には、制御部は、ＩＤまたは簡易管理ＩＤに基づいて管理装置３７から読み取られた貯玉数の情報から、払い出される景品の種類およびその個数などの情報を景品払出処理部に出力するとともに表示部に表示する（ステップＳ５２１）。景品払出処理部では、その情報を景品払出機１８に出力し、景品払出機３８から景品を払い出させる（ステップＳ５２１）。
【０２５３】
ステップＳ５２０の判定で、Ｎｏの場合には、制御部は、ＩＤまたは簡易管理ＩＤに基づいて管理装置３７から読み取られた貯玉数の情報から、払い出される景品の種類およびその個数などの情報を景品払出処理部に出力する。そして、景品払出処理部は、その情報を表示部に表示する（ステップＳ５２２）。この場合には、店員などによって、その表示部の表示に基づいて、景品が払い出される。
【０２５４】
そして、制御部において、特殊景品在庫数から払い出された特殊景品の数量を差し引き、その情報を景品払出処理部に出力し、景品払出処理部では特殊景品在庫数の情報を更新する（ステップＳ５２３）。
【０２５５】
次に、再度、カード処理部において会員用ＩＣカードが挿入されているか否かが判定される（ステップＳ５２４）。
【０２５６】
ステップＳ５２４の判定で、Ｎｏの場合には、簡易管理ＩＤに基づいて、景品と交換された玉数および払い出された景品の種類や個数は、景品払出処理部に記憶される（ステップＳ５２６）。なお、景品払出処理部に記憶されたこれらの情報は、所定期間記憶されている。また、管理装置３７に記憶されていた簡易管理ＩＤと玉数の情報は消去される（ステップＳ５２６）。すなわち、ホール全体の払出景品とその数量、交換景品の総原価の計算、ホールコンピュータへの伝送が行われる。
【０２５７】
ステップＳ５２４の判定で、Ｙｅｓの場合には、景品と交換された玉数および払い出された景品の種類や個数は、ＩＤに基づいて、制御部からネットワーク３１を介して管理装置３７に送信され、管理装置３７でＩＤ毎に記憶され（ステップＳ５２５）、ホール全体の払出景品とその数量、交換景品の総原価の計算、ホールコンピュータへの伝送が行われ、ステップＳ５２６へ進む。
【０２５８】
（精算機３３）
図９は、精算機３３の正面図、図１３は精算機３３における動作の流れを示す図である。
【０２５９】
３３ａはカード挿入口、３３ｂは暗証番号入力用テンキーボード、３３ｃは紙幣返却口、３３ｄは釣銭受け、３３ｅは精算ボタン、３３ｆは取消ボタン、３３ｇは表示部、３３ｈはコイン投入口である。
【０２６０】
精算機３３は、カード挿入口３３ａより挿入された会員用ＩＣカードまたは非会員用ＩＣカードの度数残高を現金で返却するものである。ここで、度数とは、入金された金額を度数化したもので、例えば、１万円を度数化すると１００度数となる。度数残高とは、度数から使用した度数分を差し引いた残りの度数である。
【０２６１】
また、精算機３３では、会員用ＩＣカードの利用によって付与されるポイントを、例えば、現金化によって還元してもよい。
【０２６２】
会員用ＩＣカードが挿入された場合は、精算機１０に設けられた暗証番号入力用テンキーボード３３ｂによって暗証番号が入力されると、会員用ＩＣカードに記憶された暗証番号と入力された暗証番号との照合が行われ、それらが一致すれば精算動作を行う。これによって、会員の遊技者の場合には、例えば、会員用ＩＣカードを落として、第三者に会員用ＩＣカードが渡っても、暗証番号がわからない限りは、度数残高が現金化されることはない。このようにすると遊技者が、例えば、トイレに行くためなどで離席した場合、会員用ＩＣカードを盗まれても度数残高を現金化されることはない。
【０２６３】
また、第三者に会員用ＩＣカードが渡った場合、第三者に度数残高分を遊技に使用されることが考えられるが、台間機と管理装置３７とが連携して、例えば、台間機１１にて入力した会員番号や暗証番号に基づいて、その会員用ＩＣカードを各機器に使用できないように制御することなども可能である。
【０２６４】
非会員用ＩＣカードを用いる場合には、度数残高として保持できる期間が、例えば、１日などのように限られているため、その期間内でなければ、精算機１０で度数残高を精算し、現金化することができない。これによって、非会員用ＩＣカードが、パチンコホールやスロットマシンホールの外部に持ち出され、紛失したり、傷つけられたりするのを防止することができる。
【０２６５】
精算機は、制御部、カード処理部、貨幣処理部、選択ボタン検知部から構成されている。
【０２６６】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、カード処理部、貨幣処理部、選択ボタン検知部の各機部間の信号の出入力、および、ネットワーク３１を介して管理装置３７との間の信号の出入力を制御している。
【０２６７】
カード処理部は、カード挿入口３３ａから挿入された会員用ＩＣカードまたは非会員用ＩＣカード等のカードに記憶された、例えば、ＩＤやそのＩＤで管理されている有価情報などの読み取り、その読み取った情報の制御部への出力、制御部からの更新された有価情報などの会員ＩＣカードまたは非会員用ＩＣカードへの書き込みなどを行うもので、例えば、リーダライタなどで構成される。
【０２６８】
貨幣処理部は、カード処理部で読み取られたＩＤに基づいて、管理装置３７から読み取った有価情報の度数に対応する金額を紙幣返却口３３ｃ、釣銭受３３ｄから返金するものである。また、貨幣処理部は、度数残高や返金額などの情報を表示部３３ｇに出力し、表示部３３ｇに度数残高や返金額などを表示させることも可能である。
【０２６９】
選択ボタン検知部は、暗証番号入力用テンキーボード３３ｂ、精算ボタン３３ｅ、取消ボタン３３ｆが押されたことを検知し、その押された信号に基づいて、制御部に信号を出力するものである。
【０２７０】
そして、制御部によって制御される、カード処理部、貨幣処理部、選択ボタン検知部の各機器部は、以下のように動作する（図１３）。
【０２７１】
以下に、図１３を参照してその動作を説明する。
カード処理部において非会員ＩＣカードである小カードが投入されているか否かが判定される（ステップＳ６１０）。
【０２７２】
ステップＳ６１０の判定で、Ｙｅｓの場合には、カード処理部は、非会員ＩＣカードに記憶されたカードの識別符号に紐付いて振られたＩＤを読み取り、読み取ったＩＤを制御部に出力する。制御部に出力されたＩＤは、ネットワーク３１を介して管理装置３７に出力される（ステップＳ６１２）。そして、管理装置３７に記憶されている非会員ＩＣカードのＩＤに基づく度数残高の情報を管理装置３７からネットワーク３１を介して制御部に出力する（ステップＳ６１２）。制御部に出力された度数残高の情報は、制御部から貨幣処理部に出力される。さらに、その度数残高の情報は、貨幣処理部から表示部３３ｇに出力され、度数残高が表示部３３ｇに表示される（ステップＳ６１２）。
【０２７３】
ステップＳ６１０の判定で、Ｎｏの場合には、カード処理部において会員用ＩＣカードが挿入されているか否かが判定される（ステップＳ６１３）。
【０２７４】
ステップＳ６１４の判定で、Ｎｏの場合には、制御部は待機状態となる。ステップＳ６１４の判定で、Ｙｅｓの場合には、カード処理部は、会員用ＩＣカードに記憶されたＩＤおよび暗証番号を読み取り、読み取ったＩＤおよび暗証番号を制御部に出力する（ステップＳ６１４）。また、制御部に出力されたＩＤは、ネットワーク３１を介して管理装置３７に出力される（ステップＳ６１４）。そして、管理装置３７に記憶されている会員用ＩＣカードのＩＤに基づく度数残高を管理装置３７からネットワーク３１を介して制御部に出力する（ステップＳ６１４）。
【０２７５】
次に、選択ボタン検知部は、暗証番号入力用テンキーボード３３ｂで入力された暗証番号を検知し、その検知信号を制御部に出力する（ステップＳ６１５）。
【０２７６】
制御部は、会員用ＩＣカードから読み取られた暗証番号と暗証番号入力用テンキーボード３３ｂで入力された暗証番号とを比較判定する（ステップＳ６１６）。
【０２７７】
ステップＳ６１６の判定で、双方の番号が一致しない場合（ＮＧの場合）には、制御部は、カード処理部に会員用ＩＣカードを返却する情報を出力する。その情報を受けたカード処理部は、会員用ＩＣカードをカード挿入口３３ａから返却する（ステップＳ６２０）。
【０２７８】
一方、ステップＳ６１６の判定で、双方の番号が一致した場合（ＯＫの場合）には、制御部は、ステップＳ６１４で管理装置３７からネットワーク３１を介して制御部に出力された度数残高の情報を貨幣処理部に出力する。さらに、その度数残高の情報は、貨幣処理部から表示部３３ｇに出力され、度数残高が表示部３３ｇに表示される（ステップＳ６１２）。
【０２７９】
次に、精算ボタン３３ｅが押されたが否かを選択ボタン検知部が判定する（ステップＳ６１７）。
【０２８０】
ステップＳ６１７の判定で、Ｎｏの場合（清算ボタン３３ｅがｏｆｆの場合）には、その情報は制御部に出力される。続いて、取消ボタン３３ｆが押されたが否かを選択ボタン検知部が判定する（ステップＳ６２２）。
【０２８１】
ステップＳ６２２の判定で、Ｎｏの場合には、制御部は待機状態となる。ステップＳ６２２の判定で、Ｙｅｓの場合には、選択ボタン検知部はその情報を制御部に出力する。制御部は、カード処理部に、会員用ＩＣカードまたは非会員用ＩＣカードを返却する情報を出力する。その情報を受けたカード処理部は、会員用ＩＣカードまたは非会員用ＩＣカードをカード挿入口３３ａから返却する（ステップＳ６２３）。
【０２８２】
ステップＳ６１７の判定で、Ｙｅｓの場合（清算ボタン３３ｅがｏｎの場合）には、選択ボタン検知部はその情報を制御部に出力する。そして、制御部は、貨幣処理部に、ＩＤに基づいて管理装置３７から読み取られた残高度数に対応する金額を返金する情報を出力する。貨幣処理部は、その情報に基づいて、紙幣返却口３３ｃ、釣銭受３３ｄから貨幣を返金する（ステップＳ６１８）。
【０２８３】
会員ＩＣカードまたは非会員用ＩＣカードのＩＤに基づいて、精算された金額は、制御部からネットワーク３１を介して管理装置３７に出力され、それぞれのカードの識別符号に紐付いて振られたＩＤに基づいて、度数残高から精算された度数が減じられる。基本的には、度数残高のすべてが精算されるため、度数残高は０となる（ステップＳ６１９）。
【０２８４】
ステップＳ６１９の処理が終わると、会員ＩＣカードは、カード処理部によって、カード挿入口３３ａから返却される（ステップＳ６２０）。
一方、非会員用ＩＣカードは、度数残高のすべてが精算され、度数残高が０となるので、カード処理部から精算機３３に設けられた貯留部２２０（図示しない）に移動され、回収される（ステップＳ６２１）。次いで、スタートにリターンする。
【０２８５】
（管理装置１３）
図１８は、管理装置３７の動作の流れを示す図である。
【０２８６】
管理装置３７は、複数のパチンコ機のそれぞれに接続された台間機１１、複数のスロットマシン機、スロットマシン機間に接続された台間機１１と島コンピュータ２１およびネットワーク３１を介して接続されている。また、管理装置３７は、計数機３２、精算機３３、景品管理機（ＰＯＳ）３４、再プレー受付機３５、発券機３６、データ表示機、データ公開機などともネットワーク３１を介して接続されている。
【０２８７】
さらに、ネットワーク３１を介して管理装置３７に入力された情報は、プロトコルコンバータ４１、モデム４２を介してカードセンタ４３に送信される。また、管理装置３７は、例えば、パーソナルコンピュータ４４などとも接続され、パーソナルコンピュータ４４で管理装置３７の情報を見ることが可能である。
また、パーソナルコンピュータ４４は、管理装置３７で管理している各情報にアクセスことが可能であるので、各情報の表示や印刷をすることが可能である。さらに、パーソナルコンピュータ４４では、例えば、再プレー手数料の設定などの管理装置３７の種々の設定や会員登録などを行うことも可能である。
【０２８８】
管理装置３７は、台間機１１、計数機３２、精算機３３、景品管理機（ＰＯＳ）３４、再プレー受付機３５、発券機３６、データ表示機、データ公開機などの機器からの情報を管理するものである。前述した各機器毎の管理装置３７との情報の通信に基づいて、管理装置３７には後述するような様々な情報が記憶されている。
【０２８９】
また、管理装置３７は、各遊技機における、例えば、スランプグラフ、スタート回数、大当たり回数などの情報を各遊技機の上部に取り付けられたデータ表示機２１に出力することもできる。データ表示機では、これらの情報を表示部に表示して、遊技台の情報を遊技者に提供する。
【０２９０】
さらに、管理装置３７は、例えば、各遊技機におけるスランプグラフ、スタート回数、大当たり回数などの情報、遊技台ランキング、遊技台毎の勝敗などの情報をデータ公開機に出力することもできる。データ公開機では、こられの情報を表示部に表示して、遊技台の情報を遊技者に提供する。
【０２９１】
管理装置３７は、制御部、会員カード情報管理部、非会員カード情報管理部、出力処理部から構成されている。
【０２９２】
制御部は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部では、会員カード情報管理部、非会員カード情報管理部、出力処理部の各機部間の信号の出入力、および、ネットワークを介して各機器との間の信号の出入力を制御している。また、制御部は、管理装置３７とネットワーク３１を介して各機器の制御部と通信できるように接続されている。
【０２９３】
なお、ここで管理装置３７は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０２９４】
会員カード情報管理部は、各機器に会員用ＩＣカードが用いられたときの情報を管理するもので情報管理一覧表は、管理装置に接続された、例えば、パーソナルコンピュータ４４などで見ることができる。
【０２９５】
会員用ＩＣカードが用いられた場合には、会員用ＩＣカードのＩＤに基づき、情報管理一覧表に記載されているような、例えば、貯玉数、度数残高、再プレー用貯玉数、ポイント、台間機又は発券機に挿入した金額、精算金額などを管理している。これらのデータは、会員用ＩＣカードのＩＤ毎に管理され、さらに、履歴情報、日毎情報、週毎情報などとしても管理されている。情報管理一覧表は、日毎情報の一例である。
【０２９６】
なお、会員用ＩＣカードを用いた会員の遊技者用の管理項目は、情報管理一覧表に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０２９７】
非会員カード情報管理部は、各機器に非会員用ＩＣカードが用いられたときの情報を管理するもので、情報管理一覧表は、管理装置３７に接続された、例えば、パーソナルコンピュータ４４などで見ることができる。
【０２９８】
非会員用ＩＣカードが用いられた場合には、非会員用ＩＣカードのカードの識別符号に紐付いて振られたＩＤに基づき、情報管理一覧表に記載されているような、例えば、度数残高、台間機又は発券機に挿入した金額、精算金額などを管理している。これらのデータは、非会員用ＩＣカードのＩＤ毎に管理される。非会員用ＩＣカードを用いる場合には、度数残高を保持できる期間が、例えば、１日などのように限られている。そのため、その期間内でなければ、精算機３３で度数残高を精算し、現金化することができない。
【０２９９】
非会員用ＩＣカードが用いられた場合には、度数残高を保持できる期間に対応した情報が管理されている。情報管理一覧表は、その管理期間における情報の一例である。なお、レシート発券時の簡易管理ＩＤおよび玉数（計数機３２で計数されたもの）の情報は、偽造されたレシートが使用されるのを防ぐために、一時的に管理されている。したがって、景品管理機（ＰＯＳ）３４における景品交換時において、レシートの適正を確認した後には、簡易管理ＩＤおよび玉数の情報は、管理装置３７から消去される。
【０３００】
ここで、非会員用ＩＣカードが用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカードを用いた場合の情報とは異なる。
【０３０１】
出力処理部は、カードセンタ４３に送信する、例えば、一日の営業結果などの情報を、会員カード情報管理部および非会員カード情報管理部に管理されているデータに基づいて管理している。例えば、パーソナルコンピュータ４４などから終業処理の信号が管理装置３７に入力されると、カードセンタ４３に送信する情報を制御部を介してプロトコルコンバータ４１に出力する。プロトコルコンバータ４１に出力された情報は、モデム４２を介してカードセンタ４３に送信される。
【０３０２】
そして、制御部によって制御される、会員カード情報管理部、非会員カード情報管理部、出力処理部の各機器部は、次のように動作する。なお、各機器との情報の通信についての動作は、各機器の説明部分で述べたので、ここでは、管理装置３７に入力された情報の管理動作について主に説明する。
【０３０３】
管理装置３７の制御部に、発券機３６、再プレー受付機３５、台間機１１、計数機３２、景品管理機（ＰＯＳ）３４、精算機３３などからの情報が入力され、各装置との通信及び集計がなされる（ステップＳ７１０）。
すなわち、計数機３２からは、ＩＤに紐付いて計数結果の貯玉または貯メダル情報をネットワーク３１を介して管理装置３７では、記録する。更に、計数機３２からは会員カードのＩＤにより度数残高、暗証番号が送信される。
【０３０４】
再プレー受付機３５からは、再プレー手数料、再プレー可能貯玉をネットワーク３１を介して管理装置３７は受信して記録する。更に再プレー受付機では、会員カードのＩＤから暗証番号、貯玉数についての送信がなされる。
【０３０５】
発券機３６では、ＩＤ付与要求信号を非会員用ＩＣカードの識別番号（台番号識別可能な２ＱＲＳ：ＱＲＳは実際に使っていない遊技台の番号を発券機３６の番号として割り当てる。）と度数（１万円で１００度数）とともにネットワーク３１を介して管理装置３７に送信する。管理装置３７ではＩＤ付与要求信号を受けると、ＩＤ付与順の通し番号でＩＤ番号を発行し、ＩＤ番号で指定できる記録エリアに非会員用ＩＣカードの識別番号を含んだＩＤ番号と度数を記録し、ＩＤ番号と度数を発券機３６へ送信する。そして発券機３６は受信すると、そのＩＤ番号と度数を非会員用ＩＣカードに記録する。（ステップＳ１１７）。
また会員カードのＩＤに基づき購入度数の度数を残度数に加算記録する。
【０３０６】
台間機１１では、ＩＤ付与要求信号を固定式ＩＣカードの識別番号（１ＱＲＳ）と受け付けた貨幣の額に応じた度数（１万円で１００度数）ともに管理装置に送信する。管理装置３７ではＩＤ付与要求信号を受けると、ＩＤ付与順の通し番号でＩＤ番号（ＴＵＶＷ）を発行し、ＩＤ番号で指定できる記録エリアに固定式ＩＣカードの識別番号を含んだＩＤ番号と度数を記録し、ＩＤ番号と度数を台間機１１へ送信する。そして台間機１１が受信すると、そのＩＤ番号と度数を固定式ＩＣカードに記録する。
また台間機１１からは、イベント種別、台番号、アウト玉数、セーフ玉数、勝敗、貸玉、新入金額、追加入金額、消費度数、再プレー可能貯玉消費、付与ポイントを履歴情報として受信し、管理装置３７では記録する。更に、台間機１１で会員カードのＩＤより、度数、ポイント、貯玉数を、ネットワーク３１を介して送信する。
【０３０７】
精算機３３では、精算機３３より精算額をＩＤ毎に、管理装置３７では記録する。更に、精算機３３では、ＩＤ毎の度数、暗証番号を送信する。
【０３０８】
景品管理機（ＰＯＳ）３４では、交換毎に払い出し景品と数量、払出景品総原価、会員ＩＤを受信する。景品管理機（ＰＯＳ）３４では、会員ＩＤより貯玉数を送信する。
また更に、景品管理機（ＰＯＳ）では、店員が新たな会員カードを作成するためにブランクカードを挿入した場合には、ＩＤ付与要求信号を会員用移動式ＩＣカードの識別番号（台番号識別可能な３ＱＲＳ：ＱＲＳは実際に使っていない遊技台の番号を景品管理機（ＰＯＳ）３４の番号として割り当てる。）とともにネットワーク３１を介して管理装置３７に送信する。管理装置３７ではＩＤ付与要求信号を受けると、ＩＤ付与順の通し番号（ＴＵＶＷ）でＩＤ番号（既述の３ＱＲＳＹＹＭＭＤＤＴＵＶＷ）を発行し、ＩＤ番号で指定できる記録エリアに移動式ＩＣカードの識別番号を含んだＩＤ番号を記録し、ＩＤ番号を景品管理機（ＰＯＳ）３４へ送信する。そして景品管理機（ＰＯＳ）３４はＩＤ番号を受信するとこのＩＤ番号を会員用移動式ＩＣカードに記録する。
【０３０９】
次に、管理装置３７では、会員の年齢層別、性別、地域別、一番遊技する遊技台種別毎に、アウト、セーフ、勝敗、貸玉、入金額を集計する。（ステップＳ７１１）。
【０３１０】
次に、出力処理部において、パーソナルコンピュータ１７などから終業処理信号が管理装置３７に入力されたか否かが判定される（ステップＳ７１２）。
【０３１１】
ステップＳ７１２の判定で、Ｎｏの場合には、制御部は待機状態となる。ステップＳ７１２の判定で、Ｙｅｓの場合には、出力処理部から、例えば、会員カード情報管理部および非会員カード情報管理部で管理されているデータに基づいて集計された一日の営業結果などの情報が、制御部、プロトコルコンバータ４１およびモデム４２を介してカードセンタ４３に送信される（ステップＳ７１３）。
【０３１２】
次に、出力処理部において、パーソナルコンピュータ４４などからデータ送信要求信号が管理装置３７に入力されたか否かが判定される（ステップＳ７１４）。
【０３１３】
ステップＳ７１４の判定で、Ｎｏの場合には制御部は待機状態となる。
ステップＳ７１４の判定で、Ｙｅｓの場合には、会員カード情報管理部および非会員カード情報管理部に管理されているデータに基づいて、データを、パーソナルコンピュータ４４などに出力する（ステップＳ７１５）。会員カード情報管理部および非会員カード情報管理部に管理されているデータに基づいて、出力されたデータは、パーソナルコンピュータ４４の画面に表示される。
次に、台間機１１に内蔵されるカードリーダライタ２００には光式空センサ２１６を備え、貯留部２２０にストックされた白カード（ブランクカード等）がない旨を台間機１１の制御部が島コン２１、ネットワーク３１を介して管理装置３７に通知する。管理装置３７はその通知を受けた場合には挿入無報知指示の有と判定される（ステップＳ７１６）。
白カード（ブランクカード）挿入無報知指示が有と判定されたときは、「○○番台にブランクカードを補充してください。」の通知をホール全体に所定期間毎に放送し、及び／又はその旨をパーソナルコンピュータ４４に表示する（ステップＳ７１７）。
白カード（ブランクカード）挿入無報知指示が無しと判定されたときはそのままリターンする。
【０３１４】
次に、始業処理を実施する。始業処理とは、上記した各機器との通信がネットワーク３１を介して可能か否かどうか、および、各機器の自己診断機能により、各機器における故障の有無を確認する。この確認において、各機器との通信ができない場合や各機器で故障があると判断された場合には、店員に報知される。
【０３１５】
以上、一実施の形態の記憶媒体処理装置システムおける記憶媒体処理装置、記憶媒体処理方法、記憶媒体処理システム、遊技管理方法、カード処理装置およびカード処理方法などについて説明した。
【０３１６】
次に、図１７に図示する、島コンピュータ２１の動作図にしたがい、島コンピュータ２１の動作を説明する。
ステップＳ８１０で、各台間機１１の貸玉、入金、カードやＩＣコインの返却などのイベントの発生の有無を判定する。
ステップＳ８１０で、イベントの発生の有無の判定がＮｏの場合すなわちイベントが発生していない場合、白カード挿入無報知指示の有無が判定される（ステップＳ８１１）。ステップＳ８１１の判定がＮｏの場合すなわち指示が無い場合は、スタートにリターンする。
【０３１７】
ステップＳ８１０の判定がＹｅｓの場合すなわちイベントの発生が有る場合は、イベントの発生した台間機よりデータを受信する（ステップＳ８１２）。
ついで、管理装置３７へ、ネットワーク３１を介して、アウト、セーフ、貸玉、入金額、ＩＤをデータ転送し（ステップＳ８１３）、ステップＳ８１１に進む。
【図面の簡単な説明】
【０３１８】
【図１】この発明の実施例にかかる記憶媒体処理システムの概略図
【図２】この発明の実施例にかかる台間機の正面図
【図３】この発明の実施例にかかる台間機の正面図
【図４】この発明の実施例にかかる台間機の正面図
【図５】この発明の実施例にかかるリーダーライタ部の斜視図
【図６】この発明の実施例にかかるリーダーライタ部の斜視図
【図７】この発明の実施例にかかる表示部の正面図
【図８】この発明の実施例にかかる発券機の正面図
【図９】この発明の実施例にかかる清算機の正面図
【図１０】この発明の実施例にかかる台間機の動作図
【図１１】この発明の実施例にかかる台間機の動作図
【図１２】この発明の実施例にかかる計数機の動作図
【図１３】この発明の実施例にかかる清算機の動作図
【図１４】この発明の実施例にかかる再プレー受付機の動作図
【図１５】この発明の実施例にかかる発券機の動作図
【図１６】この発明の実施例にかかる景品ＰＯＳの動作図
【図１７】この発明の実施例にかかる島コンピュータの動作図
【図１８】この発明の実施例にかかる管理装置の動作図
【図１９】この発明の実施例にかかる台間機内部構成図
【符号の説明】
【０３１９】
１１  台間機（記憶媒体処理装置）
１３  貸玉ボタン（再プレイボタン）
１５  返却ボタン
１６  表示部
２００  カード処理機（記憶媒体発行手段）
２０２  カード挿入口
２０３  リーダライタ部
２０３ａ  ＩＣ部（貸出制御装置）
２０３ｂ  アンテナ部（移動式記憶媒体受領手段、固定式記憶媒体受領手段）
２０９  固定式記憶媒体
２１０  記憶媒体受入手段